(57)【特許請求の範囲】
【請求項１】
ステーション（ＳＴＡ）によるフレームの早期（early）検出をサポートする方法であって、
前記フレームの高効率信号Ａ（ＨＥ−ＳＩＧ−Ａ）フィールドにおいて、前記フレームの高効率信号Ｂ（ＨＥ−ＳＩＧ−Ｂ）フィールドの変調および符号化方式（ＭＣＳ）の表示を受信するステップと、
前記表示されたＭＣＳに基づいて前記ＨＥ−ＳＩＧ−Ｂフィールドを復号するステップであって、前記ＨＥ−ＳＩＧ−Ｂフィールドは、複数のＳＴＡ識別子を備える、ステップと、
前記ＨＥ−ＳＩＧ−Ｂフィールドの前記ＳＴＡ識別子のうちの少なくとも１つが前記ＳＴＡの識別子と一致するという条件で、前記フレームのペイロードを復号するステップと
を含む方法。
【請求項２】
前記ＨＥ−ＳＩＧ−Ｂフィールドの前記ＭＣＳは、前記ＨＥ−ＳＩＧ−ＡフィールドのＭＣＳより高位である、請求項１に記載の方法。
【請求項３】
前記ＨＥ−ＳＩＧ−Ｂフィールドの前記ＭＣＳは、前記受信されたＨＥ−ＳＩＧ−ＡフィールドのＭＣＳと同じである、請求項１に記載の方法。
【請求項４】
前記ＨＥ−ＳＩＧ−Ｂフィールドは、前記複数のＳＴＡが前記フレームをデコードするための情報を含む、請求項１に記載の方法。
【請求項５】
送信機会（ＴＸＯＰ）持続時間は、前記フレームのＳＩＧフィールドを介して決定される、請求項４に記載の方法。
【請求項６】
前記ＳＴＡは、マルチユーザ多入力多出力（ＭＵ−ＭＩＭＯ）無線通信のために構成された非アクセスポイント（非ＡＰ）ＳＴＡである、請求項１に記載の方法。
【請求項７】
前記フレームは、高効率（ＨＥ）物理（ＰＨＹ）層コンバージェンス手順（ＰＬＣＰ）プロトコルデータユニット（ＰＰＤＵ）である、請求項１に記載の方法。
【請求項８】
フレームの早期（early）検出をサポートするように構成されたステーション（ＳＴＡ）であって、
前記フレームの高効率信号Ａ（ＨＥ−ＳＩＧ−Ａ）フィールドにおいて、前記フレームの高効率信号Ｂ（ＨＥ−ＳＩＧ−Ｂ）フィールドの変調および符号化方式（ＭＣＳ）の表示を受信するように構成された受信機と、
前記表示されたＭＣＳに基づいて前記ＨＥ−ＳＩＧ−Ｂフィールドを復号するように構成されたデコーダであって、前記ＨＥ−ＳＩＧ−Ｂフィールドは複数のＳＴＡ識別子を備える、デコーダと
を備え、
前記デコーダは、前記ＨＥ−ＳＩＧ−Ｂフィールドの前記ＳＴＡ識別子のうちの少なくとも１つが前記ＳＴＡの識別子と一致するという条件で、前記フレームのペイロードを復号するようにさらに構成される、ＳＴＡ。
【請求項９】
前記ＨＥ−ＳＩＧ−Ｂフィールドの前記ＭＣＳは、前記ＨＥ−ＳＩＧ−ＡフィールドのＭＣＳより高位である、請求項８に記載のＳＴＡ。
【請求項１０】
前記ＨＥ−ＳＩＧ−Ｂフィールドの前記ＭＣＳは、前記受信されたＨＥ−ＳＩＧ−ＡフィールドのＭＣＳと同じである、請求項８に記載のＳＴＡ。
【請求項１１】
前記ＨＥ−ＳＩＧ−Ｂフィールドは、前記複数のＳＴＡが前記フレームをデコードするための情報を含む、請求項８に記載のＳＴＡ。
【請求項１２】
送信機会（ＴＸＯＰ）持続時間は、前記フレームのＳＩＧフィールドを介して決定される、請求項１１に記載のＳＴＡ。
【請求項１３】
前記ＳＴＡは、マルチユーザ多入力多出力（ＭＵ−ＭＩＭＯ）無線通信のために構成された非アクセスポイント（非ＡＰ）ＳＴＡである、請求項８に記載のＳＴＡ。
【請求項１４】
前記フレームは、高効率（ＨＥ）物理（ＰＨＹ）層コンバージェンス手順（ＰＬＣＰ）プロトコルデータユニット（ＰＰＤＵ）である、請求項８に記載のＳＴＡ。
【請求項１５】
アクセスポイント（ＡＰ）によって行われる方法であって、
前記ＡＰからステーション（ＳＴＡ）にフレームを送信するステップであって、前記フレームは高効率信号Ａ（ＨＥ−ＳＩＧ−Ａ）フィールドおよび高効率信号Ｂ（ＨＥ−ＳＩＧ−Ｂ）フィールドを備える、ステップ
を含み、
前記ＨＥ−ＳＩＧ−Ａフィールドは、前記ＨＥ−ＳＩＧ−Ｂフィールドの変調および符号化方式（ＭＣＳ）の表示を備え、
前記ＨＥ−ＳＩＧ−Ｂフィールドは、複数のＳＴＡ識別子を備え、前記ＳＴＡ識別子のうちの少なくとも１つが前記ＳＴＡの識別子と一致する、方法。
【請求項１６】
前記ＨＥ−ＳＩＧ−Ｂフィールドの前記ＭＣＳは、前記ＨＥ−ＳＩＧ−ＡフィールドのＭＣＳより高位である、請求項１５に記載の方法。
【請求項１７】
前記ＨＥ−ＳＩＧ−Ｂフィールドの前記ＭＣＳは、前記ＨＥ−ＳＩＧ−ＡフィールドのＭＣＳと同じである、請求項１５に記載の方法。
【発明の詳細な説明】
【技術分野】
【０００１】
本発明は、無線通信に関する。
【０００２】
関連出願の相互参照
本出願は、参照によりその内容が本明細書に組み込まれている、２０１５年３月６日に出願した米国特許仮出願第６２／１２９，６１３号の利益を主張するものである。
【背景技術】
【０００３】
インフラストラクチャ基本サービスセット（ＢＳＳ）モードでの無線ローカルエリアネットワーク（ＷＬＡＮ）は、ＢＳＳに対するアクセスポイント（ＡＰ）、およびＡＰに関連付けられた１つまたは複数のステーション（ＳＴＡ）を有する。ＡＰは通常、分配システム（ＤＳ）、またはＢＳＳへのまたはそれから外へのトラフィックを運ぶ他のタイプの有線／無線ネットワークへの、アクセスまたはインターフェースを有する。ＢＳＳの外部から生じるＳＴＡへのトラフィックは、ＡＰを通して到着し、ＳＴＡに届けられる。ＳＴＡから生じるＢＳＳの外部の宛先へのトラフィックは、それぞれの宛先に届けられるようにＡＰに送られる。ＢＳＳ内のＳＴＡ間のトラフィックはまた、ＡＰを通じて送られることができ、ソースＳＴＡはトラフィックをＡＰに送り、ＡＰはトラフィックを宛先ＳＴＡに届ける。このようなＢＳＳ内のＳＴＡ間のトラフィックは、実際はピアツーピアトラフィックである。このようなピアツーピアトラフィックまた、８０２．１１ｅ  ＤＬＳまたは８０２．１１ｚトンネルＤＬＳ（ＴＤＬＳ）を用いた直接リンクセットアップ（ＤＬＳ）により、ソースと宛先ＳＴＡとの間で直接送られることができる。独立ＢＳＳ（ＩＢＳＳ）モードでのＷＬＡＮはＡＰをもたず、ＳＴＡは互いに直接通信する。この通信モードは、「アドホック」通信モードと呼ばれる。
【０００４】
現在の８０２．１１インフラストラクチャ動作モードにおいてＡＰは、プライマリチャネルと呼ばれる固定のチャネル上にビーコンを送信する。このチャネルは２０メガヘルツ（ＭＨｚ）幅であり、ＢＳＳの動作チャネルである。このチャネルはまた、ＡＰとの接続を確立するためにＳＴＡによって用いられる。
【発明の概要】
【課題を解決するための手段】
【０００５】
データ送信のためのより大きな高速フーリエ変換（ＦＦＴ）サイズを有するパケットに向けての、無線ローカルエリアネットワーク（ＷＬＡＮ）ロングシンボル持続時間マイグレーションのための方法およびシステムが開示される。ＷＬＡＮは、アクセスポイント（ＡＰ）および１つまたは複数のステーション（ＳＴＡ）を有するインフラストラクチャ基本サービスセット（ＢＳＳ）モードで動作することができる。ＡＰは、ＳＴＡから関連付け要求を受信することができる。次いでＡＰは、ＳＴＡのための関連付け識別子（ＡＩＤ）を生成することができる。さらにＡＰはメディアアクセス制御（ＭＡＣ）アドレス、またはＭＡＣアドレスの表示を決定することができ、表示は受信アドレス（ＲＡ）または送信アドレス（ＴＡ）または両方を含む。表示は、部分的関連付け識別子（ＰＡＩＤ）とすることができる。ＡＰは、ＡＩＤに従ってＰＡＩＤを決定することができる。ＡＰは、ＰＡＩＤ衝突に対してチェックすることができる。
【０００６】
次いでＡＰは、ＰＡＩＤ衝突がないとの決定に基づいて、関連付け応答フレームにおいて表示を送信することができる。さらにＡＰは、ＰＡＩＤ衝突があるとの決定に基づいて、可能性があるＡＩＤにわたって循環して、衝突の回避に用いるためのものを見出すことができる。次いでＡＰは、衝突の回避に用いるためのＡＩＤに基づいて、関連付け応答を送信することができる。ＡＰは、数式の第１のセットおよび第２のセットを用いて、ＰＡＩＤを生成することができる。
【０００７】
ＳＴＡはパケット検出を行い、レガシーショートトレーニングフィールド（Ｌ−ＳＴＦ）、レガシーロングトレーニングフィールド（Ｌ−ＬＴＦ）、およびレガシー信号（Ｌ−ＳＩＧ）フィールドを含む、検出されたパケットのレガシープリアンブルを復号することができる。ＳＴＡは、高効率信号Ａ（ＨＥ−ＳＩＧ−Ａ）フィールドを復号して、グループ情報を備えた第１の部分的関連付け識別子（ＰＡＩＤ）を得ることができる。復号されたグループ情報が、ＳＴＡのメモリに記憶されたグループ情報と一致する場合、ＳＴＡは、検出されたパケットの高効率（ＨＥ）プリアンブルおよび高効率信号Ｂ（ＨＥ−ＳＩＧ−Ｂ）フィールドを復号することができる。ＨＥ−ＳＩＧ−Ｂフィールドは、グループ内のステーション識別子を含むことができる。グループ情報がステーション識別子と組み合わされたとき、ＳＴＡは正確なアドレスを決定することができる。
【図面の簡単な説明】
【０００８】
より詳細な理解は、添付の図面と共に例として示される以下の説明から得られることができる。
【図１Ａ】１つまたは複数の開示される実施形態が実施されることができる、例示の通信システムのシステム図である。
【図１Ｂ】図１Ａに示される通信システム内で用いられることができる、例示の無線送信／受信ユニット（ＷＴＲＵ）のシステム図である。
【図１Ｃ】図１Ａに示される通信システム内で用いられることができる、例示の無線アクセスネットワークおよび例示のコアネットワークのシステム図である。
【図２】８０２．１１ａｃで定義される超高スループット（ＶＨＴ）物理（ＰＨＹ）層コンバージェンス手順（ＰＬＣＰ）プロトコルデータユニット（ＰＰＤＵ）フォーマットの例の図である。
【図３】８０２．１１ａｃで定義される超高スループット信号Ａ（ＶＨＴ−ＳＩＧ−Ａ）フィールドの例の図である。
【図４】８０２．１１ａｃで定義される超高スループット信号Ｂ（ＶＨＴ−ＳＩＧ−Ｂ）フィールドの例の図である。
【図５】ＶＨＴ  ＰＰＤＵフォーマットの他の例の図である。
【図６】８０２．１１ａｃで定義される部分的関連付け識別子（ＰＡＩＤ）の例の図である。
【図７】データ送信のための、より大きな高速フーリエ変換（ＦＦＴ）サイズを有するＰＰＤＵフォーマットの図である。
【図８】８０２．１１ａｈにおけるショートプリアンブルのＳＩＧフィールドの例の図である。
【図９】８０２．１１ａｈにおける非データパケット（ＮＤＰ）フレームに対するＰＡＩＤの例の図である。
【図１０】８０２．１１ａｈにおける非ＮＤＰおよび非１ＭＨｚ  ＰＰＤフレームに対するＰＡＩＤの例の図である。
【図１１】８０２．１１ａｃで定義されるメディアアクセス制御（ＭＡＣ）フレームフォーマットの例の図である。
【図１２】ＰＡＩＤ衝突の例の図である。
【図１３】例示的フレーム設計の図である。
【図１４】ＰＬＣＰヘッダ内の識別子（ＩＤ）の例の図である。
【図１５】ＰＬＣＰヘッダ内のＩＤの他の例の図である。
【図１６】ＰＬＣＰヘッダ内のＩＤのさらに他の例の図である。
【図１７】ＰＡＩＤ発見要求フレームの例の図である。
【図１８】グローバルＰＡＩＤ発見要求フレームの例の図である。
【図１９】ＰＡＩＤ発見応答フレームの例の図である。
【図２０】関連付け応答時のＰＡＩＤ変更フレームの例の図である。
【図２１】ＰＡＩＤ衝突認識型ＡＩＤ割り当てを用いた関連付け手順の例の図である。
【図２２】ＰＡＩＤ変更フレームの例の図である。
【図２３Ａ】サブチャネルおよび基本チャネルの例の図である。
【図２３Ｂ】異なるユーザに対して同じ時点に帯域幅割り当てが異なることができる、サブチャネルおよび基本チャネルの例の他の図である。
【図２３Ｃ】複数のサブチャネルが連続してまたは連続せずにＳＴＡに割り当てられることができる、サブチャネルおよび基本チャネルの第３の例示の図である。
【図２４】４つのサブチャネル上の、持続時間フィールドの多分解能符号化の例の図である。
【図２５Ａ】信号フィールドに対するスペクトル不等符号化のための例示のＳＩＧ設計の図である。
【図２５Ｂ】ＨＥ−ＳＩＧ−Ａフィールドが基本チャネル上に符号化および変調され、他の取得されたチャネル上に反復されることができる、信号フィールドに対するスペクトル不等符号化のための例示のＳＩＧ設計の他の例示の図である。
【図２５Ｃ】基本チャネルが１つのサブチャネルを含むことができる、信号フィールドに対するスペクトル不等符号化のための例示のＳＩＧ設計の第３の例示の図である。
【図２６】ＳＩＧ情報を複数のサブチャネル上にエンコードするために利用される、スペクトル不等符号化の例の図である。
【発明を実施するための形態】
【０００９】
図１Ａは、１つまたは複数の開示される実施形態が実施されることができる、例示の通信システム１００の図である。通信システム１００は、複数の無線ユーザに音声、データ、ビデオ、メッセージング、ブロードキャストなどのコンテンツをもたらす、多元接続システムとすることができる。通信システム１００は、複数の無線ユーザが、無線帯域幅を含むシステムリソースの共有を通じて、このようなコンテンツにアクセスすることを可能にすることができる。例えば通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）などの１つまたは複数のチャネルアクセス方法を使用することができる。
【００１０】
図１Ａに示されるように通信システム１００は、無線送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話ネットワーク（ＰＳＴＮ）１０８、インターネット１１０、および他のネットワーク１１２を含むことができるが、開示される実施形態は任意の数のＷＴＲＵ、基地局、ネットワーク、および／またはネットワーク要素を企図することが理解されるであろう。ＷＴＲＵ１０２ａ、１０２ｂ、１０２ｃ、１０２ｄのそれぞれは、無線環境において動作および／または通信するように構成された任意のタイプのデバイスとすることができる。例としてＷＴＲＵ１０２ａ、１０２ｂ、１０２ｃ、１０２ｄは、無線信号を送信および／または受信するように構成されることができ、ユーザ機器（ＵＥ）、移動局、固定またはモバイル加入者ユニット、ページャ、携帯電話、携帯情報端末（ＰＤＡ）、スマートフォン、ラップトップ、ノートブック、パーソナルコンピュータ、無線センサ、民生用電子機器などを含むことができる。
【００１１】
通信システム１００はまた、基地局１１４ａおよび基地局１１４ｂを含むことができる。基地局１１４ａ、１１４ｂのそれぞれは、コアネットワーク１０６、インターネット１１０、および／または他のネットワーク１１２などの、１つまたは複数の通信ネットワークへのアクセスを容易にするように、ＷＴＲＵ１０２ａ、１０２ｂ、１０２ｃ、１０２ｄの少なくとも１つと無線でインターフェース接続するように構成された任意のタイプのデバイスとすることができる。例として基地局１１４ａ、１１４ｂは、基地送受信機局（ＢＴＳ）、ノードＢ、ｅノードＢ、ホームノードＢ、ホームｅノードＢ、サイトコントローラ、アクセスポイント（ＡＰ）、無線ルータなどとすることができる。基地局１１４ａ、１１４ｂはそれぞれ単一の要素として示されるが、基地局１１４ａ、１１４ｂは、任意の数の相互接続された基地局および／またはネットワーク要素を含むことができることが理解されるであろう。
【００１２】
基地局１１４ａはＲＡＮ１０４の一部とすることができ、これはまた基地局コントローラ（ＢＳＣ）、無線ネットワークコントローラ（ＲＮＣ）、中継ノードなど、他の基地局および／またはネットワーク要素（図示せず）を含むことができる。基地局１１４ａおよび／または基地局１１４ｂは、セル（図示せず）と呼ばれることができる特定の地理的領域内で、無線信号を送信および／または受信するように構成されることができる。セルはさらにセルセクタに分割されることができる。例えば基地局１１４ａに関連付けられたセルは、３つのセクタに分割されることができる。従って一実施形態では基地局１１４ａは、３つの送受信機（transceiver）、すなわちセルの各セクタに対して１つを含むことができる。他の実施形態では基地局１１４ａは、多入力多出力（ＭＩＭＯ）技術を使用することができ、従ってセルの各セクタに対して複数の送受信機を利用することができる。
【００１３】
基地局１１４ａ、１１４ｂは、任意の適切な無線通信リンク（例えば無線周波数（ＲＦ）、マイクロ波、赤外線（ＩＲ）、紫外線（ＵＶ）、可視光など）とすることができるエアインターフェース１１６を通して、ＷＴＲＵ１０２ａ、１０２ｂ、１０２ｃ、１０２ｄの１つまたは複数と通信することができる。エアインターフェース１１６は、任意の適切な無線アクセス技術（ＲＡＴ）を用いて確立されることができる。
【００１４】
より具体的には上記のように通信システム１００は、多元接続システムとすることができ、ＣＤＭＡ、ＴＤＭＡ、ＦＤＭＡ、ＯＦＤＭＡ、ＳＣ−ＦＤＭＡなどの１つまたは複数のチャネルアクセス方式を使用することができる。例えばＲＡＮ１０４内の基地局１１４ａ、およびＷＴＲＵ１０２ａ、１０２ｂ、１０２ｃは、ユニバーサル移動体通信システム（ＵＭＴＳ）地上無線アクセス（ＵＴＲＡ）などの無線技術を実施することができ、これは広帯域ＣＤＭＡ（ＷＣＤＭＡ）を用いてエアインターフェース１１６を確立することができる。ＷＣＤＭＡは、高速パケットアクセス（ＨＳＰＡ）および／またはＥｖｏｌｖｅｄ  ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１５】
他の実施形態では基地局１１４ａおよびＷＴＲＵ１０２ａ、１０２ｂ、１０２ｃは、Ｅｖｏｌｖｅｄ  ＵＭＴＳ地上無線アクセス（Ｅ−ＵＴＲＡ）などの無線技術を実施することができ、これはロングタームエボリューション（ＬＴＥ）および／またはＬＴＥ−Ａｄｖａｎｃｅｄ（ＬＴＥ−Ａ）を用いてエアインターフェース１１６を確立することができる。
【００１６】
他の実施形態では基地局１１４ａおよびＷＴＲＵ１０２ａ、１０２ｂ、１０２ｃは、ＩＥＥＥ  ８０２．１６（すなわちマイクロ波アクセス用世界規模相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭ進化型高速データレート（ＥＤＧＥ）、ＧＳＭ  ＥＤＧＥ（ＧＥＲＡＮ）などの無線技術を実施することができる。
【００１７】
図１Ａの基地局１１４ｂは、例えば無線ルータ、ホームノードＢ、ホームｅノードＢ、またはアクセスポイントとすることができ、事業所、ホーム、乗り物、キャンパスなどの局所的エリアにおける無線接続性を容易にするための、任意の適切なＲＡＴを利用することができる。一実施形態では基地局１１４ｂおよびＷＴＲＵ１０２ｃ、１０２ｄは、ＩＥＥＥ  ８０２．１１などの無線技術を実施して、無線ローカルエリアネットワーク（ＷＬＡＮ）を確立することができる。他の実施形態では基地局１１４ｂおよびＷＴＲＵ１０２ｃ、１０２ｄは、ＩＥＥＥ  ８０２．１５などの無線技術を実施して、無線パーソナルエリアネットワーク（ＷＰＡＮ）を確立することができる。さらに他の実施形態では基地局１１４ｂおよびＷＴＲＵ１０２ｃ、１０２ｄは、セルラベースのＲＡＴ（例えばＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接接続を有することができる。従って基地局１１４ｂは、コアネットワーク１０６を経由してインターネット１１０にアクセスすることを不要とすることができる。
【００１８】
ＲＡＮ１０４はコアネットワーク１０６と通信することができ、これは音声、データ、アプリケーション、および／またはボイスオーバインターネットプロトコル（ＶｏＩＰ）サービスをＷＴＲＵ１０２ａ、１０２ｂ、１０２ｃ、１０２ｄの１つまたは複数にもたらすように構成された、任意のタイプのネットワークとすることができる。例えばコアネットワーク１０６は、呼制御、料金請求サービス、モバイル位置ベースのサービス、プリペイドコール、インターネット接続性、ビデオ配信などをもたらすことができ、および／またはユーザ認証などの高レベルセキュリティ機能を行うことができる。図１Ａに示されないが、ＲＡＮ１０４および／またはコアネットワーク１０６は、ＲＡＮ１０４と同じＲＡＴまたは異なるＲＡＴを使用する他のＲＡＮと、直接または間接に通信できることが理解されるであろう。例えば、Ｅ−ＵＴＲＡ無線技術を利用し得るＲＡＮ１０４に接続されることに加えて、コアネットワーク１０６はまた、ＧＳＭ無線技術を使用する他のＲＡＮ（図示せず）と通信することができる。
【００１９】
コアネットワーク１０６はまた、ＰＳＴＮ１０８、インターネット１１０、および／または他のネットワーク１１２にアクセスするように、ＷＴＲＵ１０２ａ、１０２ｂ、１０２ｃ、１０２ｄのためのゲートウェイとして働くことができる。ＰＳＴＮ１０８は、従来型電話サービス（plain old telephone service）（ＰＯＴＳ）をもたらす回線交換電話ネットワークを含むことができる。インターネット１１０は、ＴＣＰ／ＩＰインターネットプロトコルスイートにおける伝送制御プロトコル（ＴＣＰ）、ユーザデータグラムプロトコル（ＵＤＰ）、およびインターネットプロトコル（ＩＰ）などの、共通通信プロトコルを用いる、相互接続されたコンピュータネットワークおよびデバイスの地球規模のシステムを含むことができる。ネットワーク１１２は、他のサービスプロバイダによって所有および／または運用される有線もしくは無線通信ネットワークを含むことができる。例えばネットワーク１１２は、ＲＡＮ１０４と同じＲＡＴまたは異なるＲＡＴを使用することができる１つまたは複数のＲＡＮに接続された、他のコアネットワークを含むことができる。
【００２０】
通信システム１００内のＷＴＲＵ１０２ａ、１０２ｂ、１０２ｃ、１０２ｄのいくつかまたはすべては、マルチモード能力を含むことができ、すなわちＷＴＲＵ１０２ａ、１０２ｂ、１０２ｃ、１０２ｄは、異なる無線リンクを通して異なる無線ネットワークと通信するための複数の送受信機を含むことができる。例えば図１Ａに示されるＷＴＲＵ１０２ｃは、セルラベースの無線技術を使用することができる基地局１１４ａと、およびＩＥＥＥ  ８０２無線技術を使用することができる基地局１１４ｂと、通信するように構成されることができる。
【００２１】
図１Ｂは、例示のＷＴＲＵ１０２のシステム図である。図１Ｂに示されるようにＷＴＲＵ１０２は、プロセッサ１１８、送受信機１２０、送信／受信要素１２２、スピーカ／マイクロフォン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および他の周辺装置１３８を含むことができる。ＷＴＲＵ１０２は、実施形態と整合性を保ちながら、上記の要素の任意のサブコンビネーションを含むことができることが理解されるであろう。
【００２２】
プロセッサ１１８は、汎用プロセッサ、専用プロセッサ、従来型プロセッサ、デジタル信号プロセッサ（ＤＳＰ）、複数のマイクロプロセッサ、ＤＳＰコアに関連した１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などとすることができる。プロセッサ１１８は、信号符号化、データ処理、電力制御、入力／出力処理、および／またはＷＴＲＵ１０２が無線環境において動作することを可能にする任意の他の機能を行うことができる。プロセッサ１１８は送受信機１２０に結合されることができ、これは送信／受信要素１２２に結合されることができる。図１Ｂはプロセッサ１１８および送受信機１２０を別個の構成要素として示すが、プロセッサ１１８および送受信機１２０は、電子回路パッケージまたはチップ内に一緒に一体化されることができることが理解されるであろう。
【００２３】
送信／受信要素１２２は、エアインターフェース１１６を通して、基地局（例えば基地局１１４ａ）に信号を送信し、またはそれから信号を受信するように構成されることができる。例えば一実施形態では送信／受信要素１２２は、ＲＦ信号を送信および／または受信するように構成されたアンテナとすることができる。他の実施形態では送信／受信要素１２２は、例えばＩＲ、ＵＶ、または可視光信号を送信および／または受信するように構成された放射器／検出器とすることができる。さらに他の実施形態では送信／受信要素１２２は、ＲＦおよび光信号の両方を送信および受信するように構成されることができる。送信／受信要素１２２は、無線信号の任意の組み合わせを送信および／または受信するように構成されることができることが理解されるであろう。
【００２４】
さらに図１Ｂでは送信／受信要素１２２は単一の要素として示されるが、ＷＴＲＵ１０２は任意の数の送信／受信要素１２２を含むことができる。より具体的にはＷＴＲＵ１０２は、ＭＩＭＯ技術を使用することができる。従って一実施形態ではＷＴＲＵ１０２は、エアインターフェース１１６を通して無線信号を送信および受信するための、２つ以上の送信／受信要素１２２（例えば複数のアンテナ）を含むことができる。
【００２５】
送受信機１２０は、送信／受信要素１２２によって送信されることになる信号を変調するように、および送信／受信要素１２２によって受信された信号を復調するように構成されることができる。上記のようにＷＴＲＵ１０２は、マルチモード能力を有することができる。従って送受信機１２０は、ＷＴＲＵ１０２が例えばＵＴＲＡおよびＩＥＥＥ  ８０２．１１などの複数のＲＡＴによって通信することを可能にするための、複数の送受信機を含むことができる。
【００２６】
ＷＴＲＵ１０２のプロセッサ１１８は、スピーカ／マイクロフォン１２４、キーパッド１２６、および／またはディスプレイ／タッチパッド１２８（例えば液晶表示（ＬＣＤ）ディスプレイユニット、または有機発光ダイオード（ＯＬＥＤ）ディスプレイユニット）に結合されることができ、それらからユーザ入力データを受け取ることができる。プロセッサ１１８はまた、スピーカ／マイクロフォン１２４、キーパッド１２６、および／またはディスプレイ／タッチパッド１２８に、ユーザデータを出力することができる。さらにプロセッサ１１８は、非リムーバブルメモリ１３０および／またはリムーバブルメモリ１３２などの任意のタイプの適切なメモリからの情報にアクセスし、それにデータを記憶することができる。非リムーバブルメモリ１３０は、ランダムアクセスメモリ（ＲＡＭ）、読み出し専用メモリ（ＲＯＭ）、ハードディスク、または任意の他のタイプのメモリ記憶デバイスを含むことができる。リムーバブルメモリ１３２は、加入者識別モジュール（ＳＩＭ）カード、メモリスティック、セキュアデジタル（ＳＤ）メモリカードなどを含むことができる。他の実施形態ではプロセッサ１１８は、サーバまたはホームコンピュータ（図示せず）上など、物理的にＷＴＲＵ１０２上に位置しないメモリからの情報にアクセスし、それにデータを記憶することができる。
【００２７】
プロセッサ１１８は、電源１３４から電力を受け取ることができ、ＷＴＲＵ１０２内の他の構成要素に対して電力を分配および／または制御するように構成されることができる。電源１３４は、ＷＴＲＵ１０２に電力供給するための任意の適切なデバイスとすることができる。例えば電源１３４は、１つまたは複数の乾電池（例えばニッケルカドミウム（ＮｉＣｄ）、ニッケル亜鉛（ＮｉＺｎ）、ニッケル水素（ＮｉＭＨ）、リチウムイオン（Ｌｉイオン）など）、太陽電池、燃料電池などを含むことができる。
【００２８】
プロセッサ１１８はまたＧＰＳチップセット１３６に結合されることができ、これはＷＴＲＵ１０２の現在位置に関する位置情報（例えば経度および緯度）をもたらすように構成されることができる。ＧＰＳチップセット１３６からの情報に加えてまたはその代わりにＷＴＲＵ１０２は、エアインターフェース１１６を通して基地局（例えば基地局１１４ａ、１１４ｂ）から位置情報を受信することができ、および／または２つ以上の近くの基地局から受信される信号のタイミングに基づいてその位置を決定することができる。ＷＴＲＵ１０２は、実施形態と整合性を保ちながら、任意の適切な位置決定方法によって位置情報を取得できることが理解されるであろう。
【００２９】
プロセッサ１１８はさらに他の周辺装置１３８に結合されることができ、これはさらなる特徴、機能、および／または有線もしくは無線接続性をもたらす、１つまたは複数のソフトウェアおよび／またはハードウェアモジュールを含むことができる。例えば周辺装置１３８は、加速度計、電子コンパス、衛星送受信機、デジタルカメラ（写真またはビデオ用）、ユニバーサルシリアルバス（ＵＳＢ）ポート、振動デバイス、テレビ送受信機、ハンズフリーヘッドセット、ブルートゥース（登録商標）モジュール、周波数変調（ＦＭ）ラジオユニット、デジタル音楽プレーヤ、メディアプレーヤ、ビデオゲームプレーヤモジュール、インターネットブラウザなどを含むことができる。
【００３０】
図１Ｃは、実施形態によるＲＡＮ１０４およびコアネットワーク１０６のシステム図である。上記のようにＲＡＮ１０４は、Ｅ−ＵＴＲＡ無線技術を使用して、エアインターフェース１１６を通してＷＴＲＵ１０２ａ、１０２ｂ、１０２ｃと通信することができる。ＲＡＮ１０４はまた、コアネットワーク１０６と通信することができる。
【００３１】
ＲＡＮ１０４はｅノードＢ１４０ａ、１４０ｂ、１４０ｃを含むことができるが、ＲＡＮ１０４は、実施形態と整合性を保ちながら、任意の数のｅノードＢを含むことができることが理解されるであろう。ｅノードＢ１４０ａ、１４０ｂ、１４０ｃはそれぞれ、エアインターフェース１１６を通してＷＴＲＵ１０２ａ、１０２ｂ、１０２ｃと通信するための１つまたは複数の送受信機を含むことができる。一実施形態ではｅノードＢ１４０ａ、１４０ｂ、１４０ｃは、ＭＩＭＯ技術を実施することができる。従って例えばｅノードＢ１４０ａは、複数のアンテナを用いてＷＴＲＵ１０２ａに無線信号を送信し、それから無線信号を受信することができる。
【００３２】
ｅノードＢ１４０ａ、１４０ｂ、１４０ｃのそれぞれは、特定のセル（図示せず）に関連付けられることができ、無線リソース管理決定、ハンドオーバ決定、アップリンクおよび／またはダウンリンクにおけるユーザのスケジューリングなどを取り扱うように構成されることができる。図１Ｃに示されるように、ｅノードＢ１４０ａ、１４０ｂ、１４０ｃは、Ｘ２インターフェースを通して互いに通信することができる。
【００３３】
図１Ｃに示されるコアネットワーク１０６は、モビリティ管理エンティティゲートウェイ（ＭＭＥ）１４２、サービングゲートウェイ１４４、およびパケットデータネットワーク（ＰＤＮ）ゲートウェイ１４６を含むことができる。上記の要素のそれぞれはコアネットワーク１０６の一部として示されるが、これらの要素のいずれの１つも、コアネットワークオペレータ以外のエンティティによって所有および／または運用されることができることが理解されるであろう。
【００３４】
ＭＭＥ１４２は、Ｓ１インターフェースを経由してＲＡＮ１０４内のｅノードＢ１４０ａ、１４０ｂ、１４０ｃのそれぞれに接続されることができ、制御ノードとして働くことができる。例えばＭＭＥ１４２は、ＷＴＲＵ１０２ａ、１０２ｂ、１０２ｃの初回アタッチ時に、ＷＴＲＵ１０２ａ、１０２ｂ、１０２ｃのユーザを認証すること、ベアラ活動化／非活動化、特定のサービングゲートウェイを選択することなどに対して責任をもつことができる。ＭＭＥ１４２はまた、ＲＡＮ１０４と、ＧＳＭまたはＷＣＤＭＡなどの他の無線技術を使用する他のＲＡＮ（図示せず）との間で切り換えるための、制御プレーン機能をもたらすことができる。
【００３５】
サービングゲートウェイ１４４は、Ｓ１インターフェースを経由してＲＡＮ１０４内のｅノードＢ１４０ａ、１４０ｂ、１４０ｃのそれぞれに接続されることができる。サービングゲートウェイ１４４は一般に、ＷＴＲＵ１０２ａ、１０２ｂ、１０２ｃへのまたはそれらからのユーザデータパケットを、経路指定および転送することができる。サービングゲートウェイ１４４はまた、ｅノードＢ間ハンドオーバ時にユーザプレーンをアンカリングすること、ＷＴＲＵ１０２ａ、１０２ｂ、１０２ｃのためのダウンリンクデータが使用可能であるときにページングをトリガすること、ＷＴＲＵ１０２ａ、１０２ｂ、１０２ｃのコンテキストを管理および記憶することなどの他の機能を行うことができる。
【００３６】
サービングゲートウェイ１４４はまたＰＤＮゲートウェイ１４６に接続されることができ、これはＷＴＲＵ１０２ａ、１０２ｂ、１０２ｃとＩＰ対応デバイスとの間の通信を容易にするために、インターネット１１０などのパケット交換ネットワークへのアクセスをＷＴＲＵ１０２ａ、１０２ｂ、１０２ｃにもたらすことができる。無線ローカルエリアネットワーク（ＷＬＡＮ）１５５のアクセスルータ（ＡＲ）１５０は、インターネット１１０と通信することができる。ＡＲ１５０は、ＡＰ１６０ａ、１６０ｂ、および１６０ｃの間の通信を容易にすることができる。ＡＰ１６０ａ、１６０ｂ、および１６０ｃは、ステーション（ＳＴＡ）１７０ａ、１７０ｂ、および１７０ｃと通信することができる。
【００３７】
コアネットワーク１０６は、他のネットワークとの通信を容易にすることができる。例えばコアネットワーク１０６は、ＷＴＲＵ１０２ａ、１０２ｂ、１０２ｃと従来の陸線通信デバイスとの間の通信を容易にするために、ＰＳＴＮ１０８などの回線交換ネットワークへのアクセスをＷＴＲＵ１０２ａ、１０２ｂ、１０２ｃにもたらすことができる。例えばコアネットワーク１０６は、コアネットワーク１０６とＰＳＴＮ１０８との間のインターフェースとして働くＩＰゲートウェイ（例えばＩＰマルチメディアサブシステム（ＩＭＳ）サーバ）を含むことができ、またはそれと通信することができる。さらにコアネットワーク１０６は、ＷＴＲＵ１０２ａ、１０２ｂ、１０２ｃにネットワーク１１２へのアクセスをもたらすことができ、これは他のサービスプロバイダによって所有および／または運用される他の有線もしくは無線ネットワークを含むことができる。
【００３８】
８０２．１１システムにおける基本チャネルアクセス機構は、キャリア検知多重アクセス／衝突回避（ＣＳＭＡ／ＣＡ）とすることができる。この動作モードにおいて、ＡＰを含むあらゆるＳＴＡは、プライマリチャネルを検知することができる。チャネルがビジーであることが検出された場合、ＳＴＡはバックオフすることができる。従って、所与の基本サービスセット（ＢＳＳ）内で１つのＳＴＡのみが、任意の所与の時点に送信することができる。
【００３９】
参考として８０２．１１ｎおよび８０２．１１ａｃは、２から６ギガヘルツ（ＧＨｚ）までの周波数での動作に対して定義されている。８０２．１１ｎにおいて高スループット（ＨＴ）ＳＴＡは、通信のために４０メガヘルツ（ＭＨｚ）幅のチャネルを用いることができる。これは、プライマリ２０ＭＨｚチャネルを別の隣接する２０ＭＨｚチャネルと組み合わせて４０ＭＨｚ幅のチャネルを形成することによって達成されることができる。８０２．１１ａｃにおいて超高スループット（ＶＨＴ）ＳＴＡは、２０ＭＨｚ、４０ＭＨｚ、８０ＭＨｚ、および１６０ＭＨｚ幅のチャネルをサポートすることができる。４０ＭＨｚおよび８０ＭＨｚチャネルは、上記の８０２．１１ｎと同様に連続した２０ＭＨｚチャネルを組み合わせることによって形成されることができ、１６０ＭＨｚチャネルは、８つの連続した２０ＭＨｚチャネル、または２つの連続しない８０ＭＨｚチャネル（８０＋８０構成）を組み合わせることによって形成されることができる。
【００４０】
「８０＋８０」構成の例として、チャネルエンコーディングの後に、データは、それを２つのストリームに分割するセグメントパーサに通過されることができる。逆高速フーリエ変換（ＩＦＦＴ）および時間領域処理は、各ストリームに対して別個に行われることができる。次いでストリームは２つのチャネルにマッピングされることができ、データが送出されることができる。受信側ではこの機構は逆にされることができ、組み合わされたデータはメディアアクセス制御（ＭＡＣ）に送られることができる。
【００４１】
参考として、８０２．１１ａｆおよび８０２．１１ａｈは、１ＧＨｚ未満の周波数での動作のために導入された。８０２．１１ａｆおよび８０２．１１ａｈに対してチャネル動作帯域幅は、８０２．１１ｎおよび８０２．１１ａｃと比べて低減されることができる。８０２．１１ａｆは、テレビホワイトスペース（ＴＶＷＳ）における５ＭＨｚ、１０ＭＨｚ、および２０ＭＨｚ幅の帯域をサポートすることができ、８０２．１１ａｈは、非ＴＶＷＳにおける１ＭＨｚ、２ＭＨｚ、４ＭＨｚ、８ＭＨｚ、および１６ＭＨｚをサポートすることができる。８０２．１１ａｈにおけるいくつかのＳＴＡは、限られた能力を有するセンサと見なされ、１および２ＭＨｚ送信モードのみをサポートすることができる。
【００４２】
８０２．１１ｎ、８０２．１１ａｃ、８０２．１１ａｆ、および８０２．１１ａｈなど、複数のチャネル幅を利用する既存のＷＬＡＮシステムにおいて、通常はＢＳＳ内のすべてのＳＴＡによってサポートされる最大の共通動作帯域幅に等しい帯域幅を有する、プライマリチャネルが存在することができる。従ってプライマリチャネルの帯域幅は、最小の帯域幅動作モードをサポートするＳＴＡによって制限され得る。８０２．１１ａｈの例において、１および２ＭＨｚモードのみをサポートできるＳＴＡが存在し、ＢＳＳ内のＡＰおよび他のＳＴＡは４ＭＨｚ、８ＭＨｚ、および１６ＭＨｚ動作モードをサポートできる場合は、プライマリチャネルは１または２ＭＨｚ幅とすることができる。すべてのキャリア検知およびＮＡＶ設定は、プライマリチャネルのステータスに依存することができ、すなわち例えばＳＴＡが、ＡＰに送信する１および２ＭＨｚ動作モードのみをサポートすることに起因してプライマリチャネルがビジーとなる場合、その大部分がアイドルおよび利用可能であっても利用可能な周波数帯域全体がビジーと見なされ得る。８０２．１１ａｈおよび８０２．１１ａｆにおいて、すべてのパケットは、８０２．１１ａｃ仕様と比べて４または１０倍ダウンクロックされたクロックを用いて送信されることができる。
【００４３】
米国では、８０２．１１ａｈによって用いられることができる利用可能な周波数帯域は、９０２ＭＨｚから９２８ＭＨｚとすることができる。韓国ではこれは９１７．５ＭＨｚから９２３．５ＭＨｚとすることができ、日本ではこれは９１６．５ＭＨｚから９２７．５ＭＨｚとすることができる。８０２．１１ａｈのために利用可能な総帯域幅は、国コードに応じて６ＭＨｚから２６ＭＨｚとすることができる。
【００４４】
スペクトル効率を改善するために８０２．１１ａｃは、例えばダウンリンクＯＦＤＭシンボルの間での、同じシンボルの時間フレームにおける、複数のＳＴＡへのダウンリンクマルチユーザＭＩＭＯ（ＭＵ−ＭＩＭＯ）送信の概念を導入している。ダウンリンクＭＵ−ＭＩＭＯの使用の可能性は、８０２．１１ａｈに対しても現在検討されている。８０２．１１ａｃで用いられるダウンリンクＭＵ−ＭＩＭＯは、複数のＳＴＡに同じシンボルタイミングを用いることができるので、複数のＳＴＡへの波形送信の干渉は問題になり得ないことに留意することが重要である。しかしＡＰとのＭＵ−ＭＩＭＯ送信に関わるすべてのＳＴＡは、同じチャネルまたは帯域を用いることができ、これは動作帯域幅を、ＡＰとのＭＵ−ＭＩＭＯ送信に含められる、ＳＴＡによってサポートされる最小チャネル帯域幅に制限し得る。
【００４５】
ＩＥＥＥ  ８０２．１１ａｃは、特定のリソース割り当てのために、利用可能な帯域幅全体を用いた通信をサポートすることができる。ＯＦＤＭＡ技術は、スペクトルリソースのより効率的な利用を可能にすることができ、現在ＷｉＭａｘおよびＬＴＥ通信プロトコルによってサポートされることができる。ＩＥＥＥ  ８０２．１１ａｘは、場合によってはスペクトル効率、エリアスループット、ならびに衝突および干渉に対するロバスト性に対処することを含み、８０２．１１ａｃの性能を強化することができる。
【００４６】
例において８０２．１１ａｘシステムは、変更されたシンボル持続時間および物理（ＰＨＹ）ヘッダフォーマットを用いることができる。変更されたシンボル持続時間は、より長い持続時間とすることができる。高効率（ＨＥ）ＰＨＹ層コンバージェンス手順（ＰＬＣＰ）プロトコルデータユニット（ＰＰＤＵ）におけるデータシンボルは、１２．８マイクロ秒（μｓ）の離散フーリエ変換（ＤＦＴ）期間、および７８．１２５キロヘルツ（ｋＨｚ）のサブキャリア間隔を用いることができる。さらにＨＥ  ＰＰＤＵにおけるデータシンボルは、０．８μｓ、１．６μｓ、および３．２μｓのガードインターバル持続時間をサポートすることができる。ＨＥ  ＰＰＤＵは、レガシーデバイスとの下位互換性のために各２０ＭＨｚ上に複製された、レガシープリアンブル（レガシーショートトレーニングフィールド（Ｌ−ＳＴＦ）、レガシーロングトレーニングフィールド（Ｌ−ＬＴＦ）、およびレガシー信号（Ｌ−ＳＩＧ））を含むことができる。例えば３．２μｓのＤＦＴ期間および３１２．５ｋＨｚのサブキャリア間隔を用いた、高効率信号Ａ（ＨＥ−ＳＩＧ−Ａ）フィールドは、共通制御情報を示すためにレガシープリアンブルの後に各２０ＭＨｚ上に複製されることができる。
【００４７】
８０２．１１ａｘに対するこれらの要件に対処するために開発された方法は、協調直交ブロックベースリソース割り当て（ＣＯＢＲＡ）およびマルチユーザ並列チャネルアクセス（ＭＵ−ＰＣＡ）として知られる。これらの技術は、８０２．１１ａｃにおいて可能であるよりも小さな周波数−時間リソース単位を通した送信を可能にすることができる。従って複数のユーザに重複しない周波数−時間リソース単位が割り当てられることが可能であり、これは直交周波数−時間リソースの同時の送信および受信を可能にすることができる。これは周波数−時間リソースがより効率的に利用されることを可能にすることができ、サービス品質（ＱｏＳ）も改善されることができる。ＡＰがＳＴＡに割り当てることができる基本周波数リソース単位として、サブチャネルが定義されることができる。例として、８０２．１１ｎ／ａｃとの下位互換性の要件を念頭に置いて、サブチャネルは２０ＭＨｚチャネルとして定義されることができる。
【００４８】
図２は、８０２．１１ａｃで定義されるＶＨＴ  ＰＰＤＵフォーマットの例の図である。８０２．１１で定義されるＰＨＹヘッダは通常、レガシーショートトレーニングフィールド２０４、レガシーロングトレーニングフィールド２０６、およびレガシーシグナリングフィールド２０８を含むことができる。異なるバージョンでは、ＰＨＹヘッダは、レガシー部分２０２および非レガシー部分２１０を含むことができる。非レガシー部分２１０は、ＶＨＴ−ＳＩＧ＿Ａ２１２、ＶＨＴ−ＳＴＦ２１４、ＶＨＴ−ＬＴＦ２１６、ＶＨＴ−ＳＩＧ−Ｂ２１８、およびデータ２２０を含む。図３は８０２．１１ａｃで定義されるＶＨＴ−ＳＩＧ−Ａフィールドの例の図であり、これは２つの構造体を含むことができる。例においてＶＨＴ−ＳＩＧ−Ａ１は、定義された構造体３２０を有することができる。ＶＨＴ−ＳＩＧ−Ａ１  ３２０は、帯域幅フィールド３２２、予約済みビットフィールド３２４、ＳＴＢＣフィールド３２６、グループＩＤフィールド３２８、ＮＳＴＳ／部分的ＡＩＤフィールド３３０、ＴＸＯＰ＿ＰＳ＿ＮＯＴ＿ＡＬＬＯＷＥＤフィールド３３２、および予約済みビットフィールド３３４を含むことができる。さらなる例においてまたＶＨＴ−ＳＩＧ−Ａ２は、定義された構造体３４０を有することができる。ＶＨＴ−ＳＩＧ−Ａ２  ３４０は、ショートガードインターバル（ＧＩ）フィールド３４２、ショートＧＩ  ＮＳＹＭ曖昧性除去３４４、ＳＵ／ＭＵ［０］符号化フィールド３４６、ＬＤＰＣ追加ＯＦＤＭシンボル３４８、ＳＵ  ＶＨＴ−ＭＣＳ／ＭＵ［１〜３］符号化フィールド３５０、ビーム形成フィールド３５２、予約済みビット３５４、ＣＲＣ３５６、および末尾３５８を含むことができる。
【００４９】
図４は、８０２．１１ａｃで定義されるＶＨＴ−ＳＩＧ−Ｂフィールド４００の例の図である。例においてＶＨＴ−ＳＩＧ−Ｂ４００は、ＶＨＴ−ＳＩＧ−Ｂ長さ４０２、ＶＨＴ−ＭＣＳ４０４、予約済みフィールド４０６、末尾４０８、およびビット総数を示すフィールド４１０を含む、いくつかのフィールドを含むことができる。
【００５０】
図５は、ＶＨＴ  ＰＰＤＵフォーマットの他の例の図である。図５は、Ｌ−ＳＴＦ５０２、Ｌ−ＬＴＦ５０４、Ｌ−ＳＩＧ５０６、ＶＨＴ−ＳＩＧ＿Ａ５０８、ＶＨＴ−ＳＴＦ５１０、ＶＨＴ−ＬＴＦ５１２、ＶＨＴ−ＳＩＧ−Ｂ５１４、およびデータ５１６を含む。８０２．１１における例では、送信ＭＡＣアドレス（ＴＡ）および受信ＭＡＣアドレス（ＲＡ）は、ＭＡＣヘッダ５２８においてシグナリングされることができ、これはデータフィールド５１６と一緒に変調および符号化される。データフィールドはまた、ＭＡＣ本体５２０、およびフレームチェックシーケンス（ＦＣＳ）５２２を含むことができる。ＭＡＣアドレスは汎用一意とすることができる。さらに８０２．１１ａｃにおける例では、ＳＵ送信のための受信機ＩＤを示すために、部分的関連付け識別子（ＰＡＩＤ）（関連付け識別子（ＡＩＤ）およびＢＳＳ識別子（ＩＤ）（ＢＳＳＩＤ）から圧縮される）が、ＶＨＴ−ＳＩＧ−Ａフィールドに含められることができる。しかしＰＡＩＤは一意ではない場合がある。
【００５１】
図６は、８０２．１１ａｃで定義されるＰＡＩＤの例の図である。８０２．１１ａｃにおける例ではＰＡＩＤは、図６の表に基づいて設定されることができ、ＳＴＡの４８ビットＢＳＳＩＤおよび１６ビットＡＩＤから導き出されることができる。さらなる例においてＰＡＩＤは、ＴＸＶＥＣＴＯＲパラメータＧＲＯＵＰ＿ＩＤおよびＰＡＲＴＩＡＬ＿ＡＩＤに対する設定を含むことができる。ＰＰＤＵが、０に設定されたグループＩＤを有するＡＰを宛先とするという条件で、ＰＡＩＤはＢＳＳＩＤのビット３９から４７に従って定義されることができる。ＰＰＤＵが、０に設定されたグループＩＤを有するメッシュＳＴＡを宛先とするという条件で、ＰＡＩＤはＲＡのビット３９から４７に従って定義されることができる。ＰＰＤＵが、ＡＰによって送られ、そのＡＰに関連付けられたＳＴＡを宛先とするか、またはＤＬＳまたはＴＤＬＳ  ＳＴＡによって直接経路で、６３に設定されたグループＩＤを有するＤＬＳまたはＴＤＬＳピアＳＴＡに送られるという条件で、ＰＡＩＤは、ＡＩＤのビット０から８、ＢＳＳＩＤのビット４４から４７、およびＢＳＳＩＤのビット４０から４３に基づいて設定されることができる。
【００５２】
図７は、データ送信のための、より大きな高速フーリエ変換（ＦＦＴ）サイズを有するＰＰＤＵフォーマットの図である。例において８０２．１１ａｘは、データ送信のための、より大きなＦＦＴサイズを考慮することができる。図７を参照すると、ＰＰＤＵのヘッダ部分は６４ＦＦＴサイズを有し、データ部分は２５６ＦＦＴサイズのものである。これは、あらゆるＯＦＤＭシンボルが６４ポイントＩＦＦＴを用いて変調されるレガシー８０２．１１システムと対照的である。
【００５３】
図８は、８０２．１１ａｈにおけるショートプリアンブルのＳＩＧフィールドの例の図である。例においてショートプリアンブルのＳＩＧフィールドは、いくつかのフィールドを含むことができる。ビット０は予約済みとすることができ、ビット１は、すべての空間ストリームがＳＴＢＣ符号化を有する場合は１に設定されることができ、いずれの空間ストリームもＳＴＢＣ符号化を有しない場合は０に設定されることができる。ビット２は、ＴＸＶＥＣＴＯＲパラメータＵＰＬＩＮＫ＿ＩＮＤＩＣＡＴＩＯＮの値に設定されることができる。ビット３および４は一緒に、２ＭＨｚに対して１０進の０、４ＭＨｚに対して１、８ＭＨｚに対して２、および１６ＭＨｚに対して３に設定されることができる。ビット５および６は一緒に、１つの空間時間ストリームに対して１０進の０、２つの空間時間ストリームに対して１、３つの空間時間ストリームに対して２、４つの空間時間ストリームに対して３に設定されることができる。さらに８０２．１１ａｈにおける例では、ビットＢ７からＢ１５は受信機、例えばＳＴＡ、ＳＴＡのグループ、またはＡＰを識別するために用いられる９ビットＰＡＩＤを含むことができる。ＰＡＩＤは、アップリンク送信の場合にはＡＰのＢＳＳＩＤの、またはダウンリンク送信の場合にはＡＰのＢＳＳＩＤおよびＳＴＡのＡＩＤの組み合わせの、関数とすることができる。ビット１６は、ショートガードインターバルがデータフィールド内で用いられない場合は０に設定され、ショートガードインターバルがデータフィールド内で用いられる場合は１に設定されることができる。ビット１７および１８は一緒に設定されることができ、ビット１７は、ＢＣＣに対して０、ＬＤＰＣに対して１に設定されることができる。ビット１７が１に設定される場合、ビット１８は、ＳＵ  ＰＰＤＵのＬＤＰＣ  ＰＰＤＵエンコーディングプロセスが結果として１つまたは複数の追加ＯＦＤＭシンボルを生じる場合は１に設定されることができる。そうでない場合、ビット１８は０に設定されることができる。ビット１７が０に設定される場合、ビット１８は予約済みとすることができ、１に設定される。ビット１９から２２は、ＭＣＳインデックスのために用いられることができる。ビット２３が１に設定される場合、チャネルスムージングが推奨される。ビット２３が０に設定される場合、チャネルスムージングは推奨されない。
【００５４】
図９は、８０２．１１ａｈにおける非データパケット（ＮＤＰ）フレームに対してどのようにＰＡＩＤが用いられることができるかの例の図である。例においてＰＡＩＤは、ＮＤＰフレームのためのＴＸＶＥＣＴＯＲパラメータＰＡＲＴＩＡＬ＿ＡＩＤに対する設定を含むことができる。ＡＰを宛先とするフレームに対してＰＡＩＤは、ＢＳＳＩＤのビット３９から４７に基づいて用いられることができる。ＡＰによって送られ、そのＡＰに関連付けられたＳＴＡを宛先とする、またはＤＬＳまたはＴＤＬＳ  ＳＴＡによって直接経路で、ＤＬＳまたはＴＤＬＳピアＳＴＡに、または共通マルチキャストＡＩＤおよび共通ＢＳＳＩＤを有するＳＴＡのグループに送られたフレームは、ＡＩＤのビット０から８、ＢＳＳＩＤのビット４４から４７、およびＢＳＳＩＤのビット４０から４３から決定されるＰＡＩＤに基づくことができる。そうでない場合、ＰＡＩＤは０に設定されることができる。
【００５５】
図１０は、８０２．１１ａｈにおける非ＮＤＰおよび非１ＭＨｚ  ＰＰＤＵフレームのためのＰＡＩＤの例の図である。例においてＰＡＩＤは、非ＮＤＰおよび非１ＭＨｚ  ＰＰＤＵフレームのためのＴＸＶＥＣＴＯＲパラメータＰＡＲＴＩＡＬ＿ＡＩＤに対する設定を含むことができる。使用される式は、図９および図１０に示されるように、ＮＤＰフレームおよび非ＮＤＰフレーム、または１ＭＨｚ  ＰＰＤＵフレームに対して異なることができる。
【００５６】
図１１は、８０２．１１ａｃで定義されるメディアアクセス制御（ＭＡＣ）フレームフォーマットの例の図である。現在の８０２．１１標準における例では、図１１に示されるように各フレームは、ＭＡＣヘッダ１１０２、フレーム本体１１２２、およびＦＣＳ１１２４から構成される。ＭＡＣヘッダは、いくつかのフィールドを含むことができる。ＭＡＣヘッダはフレーム制御フィールド１１０４を含むことができ、これはＴｙｐｅ、ＳｕｂＴｙｐｅ、フラグメントなどの情報を含むことができる。ＭＡＣヘッダはまた持続時間／ＩＤフィールド１１０６を含むことができ、これはＮＡＶ設定のために用いられる情報（マイクロ秒の単位での）を含むことができる。ＰＳ−Ｐｏｌｌフレームにおいて、持続時間／ＩＤフィールドはＳＴＡのＡＩＤを示すために用いられることができる。さらにＭＡＣヘッダは１〜４アドレスフィールド１１０８、１１１０、１１１２、および１１１６を含むことができ、これらはフレームのＴｙｐｅに応じて４つまでのＭＡＣアドレスを含むことができる。通常、アドレス１は、受信アドレス（ＲＡ）を含むことができ、すべてのフレーム内に存在する。アドレス２は、ＴＡを含むことができ、ＡＣＫおよびＣＴＳを除くすべてのフレームに存在する。アドレス３は、データおよび管理フレームに存在することができる。アドレス４は、データフレームのみに、およびＴｏ  ＤＳおよびＦｒｏｍ  ＤＳビットの両方が設定されたときのみに存在することができる。ＭＡＣヘッダはまたシーケンス制御フィールド１１１４を含むことができ、これは４ビットのフラグメント番号および１２ビットのシーケンス番号を含むことができる。さらにＭＡＣヘッダはＱｏＳ制御フィールド１１１８を含むことができ、これはトラフィッククラス（ＴＣ）またはトラフィックストリーム（ＴＳ）、およびフレームについての他のＱｏＳ関連情報を識別することができる。このフィールドは、ＱｏＳデータフレーム内に存在することができる。ＭＡＣヘッダはまたＨＴ制御フィールド１１２０を含むことができ、これはＨＴまたはＶＨＴ制御情報を含むことができる。
【００５７】
例において、早期（early）パケット決定がサポートされることができる。現在の８０２．１１ＭＡＣ／ＰＨＹヘッダ設計を用いて、ＰＨＹヘッダは、パケットを検出および復号するために、ＰＨＹ層によって必要とされる基本情報を含むことができる。しかしパケットの送信器および受信機は、ＰＨＹヘッダに含められることはできない。ＰＨＹヘッダは、最も低位の変調および符号化方式（ＭＣＳ）を用いて別個に変調されることができる。
【００５８】
送信器および受信機のＭＡＣアドレスを含むＭＡＣヘッダは、ＭＡＣ本体と一緒に変調および符号化されることができ、これは、受信機はＭＡＣヘッダを読み出すためにパケット全体を復号しなければならないことを意味する。さらにＭＡＣヘッダおよびＭＡＣ本体は同じＭＣＳを用いてエンコードされることができ、これは、ＭＡＣヘッダはＰＨＹヘッダほど信頼性がないことを意味する。
【００５９】
受信機がパケット全体を復号するまで、パケットの送信器および受信機を決定することが可能でない場合があり、これはいくつかの設計上の欠陥をシステムにもたらす。第１に、すべての受信機がパケット全体をリスンしなければならないので、システムは電力効率的になり得ない。第２に、ＭＡＣヘッダはより高位のＭＣＳにより変調およびエンコードされる場合があり、これはＭＡＣヘッダの送信の信頼性を不十分にする。従ってＭＡＣフレームの復号に失敗した受信機は、送信器および受信機の識別を含む、ＭＡＣヘッダにおいて運ばれる情報を知ることができない。これは、否定応答／反復要求（ＮＡＣＫ／ＮＡＫ）設計、８０２．１１システムで実施されるパケットを受信しなかったことの肯定応答が存在できない主な理由になり得る。
【００６０】
例において、８０２．１１ａｘデータ部分のために、より長いシンボル持続時間がサポートされることができる。スペクトル全体を十分に利用し、より効率的で信頼度のあるパケットヘッダを設計するための余裕を増すことができる。
【００６１】
ＰＡＩＤは、受信するＡＰまたは非ＡＰ  ＳＴＡを識別するプリアンブルのＳＩＧフィールドにおいて見出される９ビットフィールドとすることができ、ＭＡＣフレームを復号することを必要とせずに、パケットの受信機の早期決定を可能にすることができる。これは８０２．１１ａｃおよび８０２．１１ａｈで用いられることができ、ＡＰの場合はＢＳＳ  ＩＤから、ＳＴＡの場合はＢＳＳＩＤおよびＳＴＡ  ＡＩＤの組み合わせから導き出されることができる。高密度ネットワークでは、異なるＳＴＡに対して計算されたＰＡＩＤが同一になる場合があるという問題が生じ得る。これは、ＳＴＡが一意に識別されることを困難にし得る。ＰＡＩＤが一意であることを確実にする方法が、必要となり得る。
【００６２】
図１２は、ＰＡＩＤ衝突の例の図である。例においてＰＡＩＤは、ＭＡＣフレーム全体を復号することを必要とせずに、パケットの受信機の早期決定のために用いられることができる。さらに１６ビットとすることができるＡＩＤは、１つのＢＳＳ内では一意となることができるが、重複ＢＳＳ（ＯＢＳＳ）シナリオ１２００では一意でなくなり得る。９ビットとすることができるＰＡＩＤは、ＡＩＤおよびＢＳＳＩＤから圧縮されることができ、ＢＳＳ内であっても一意でない場合がある。ＰＡＩＤ衝突は、特にＯＢＳＳシナリオにおいて起こり得る。図１２に示されるように、ＰＡＩＤ１  １２０２はＡＰ１  １２０６とＳＴＡ１  １２０８との間の通信に用いられることができ、ＰＡＩＤ１  １２０２はＳＴＡ２  １２０５とＡＰ２  １２０２との間の通信に用いられることができる。
【００６３】
さらなる例において、異なる帯域幅がサポートされることができる。現在の８０２．１１ＰＨＹヘッダ設計を用いて、Ｌ−ＳＩＧフィールド、ＨＴ−ＳＩＧフィールド、ＶＨＴ−ＳＩＧ−Ａ／ＶＨＴ−ＳＩＧ−Ｂフィールド、およびＳ１Ｇ  ＳＩＧ／ＳＩＧ−Ａ／ＳＩＧ−Ｂフィールドを含むすべてのシグナリングフィールドは、基本または最小チャネル帯域幅を通して送信されることができる。ＳＴＡが基本または最小チャネル帯域幅より広いチャネル上で動作している場合、ＳＩＧフィールドは残りのチャネル上で反復されることができる。例えば８０２．１１ａｃを用いて、ＶＨＴ−ＳＩＧ−ＡおよびＶＨＴ−ＳＩＧ−Ｂフィールドは、２０ＭＨｚチャネルを通して送信され、必要に応じて残りのチャネル上に反復されることができる。従って広帯域チャネルは、ＰＨＹシグナリング手順および関連するフィールドによって十分に利用されることができない。
【００６４】
例において、早期パケット決定がサポートされることができる。ＩＥＥＥ  ８０２．１１ｎおよび８０２．１１ａｃ標準により、ＤＦＴ期間は３．２μｓと定義されることができ、サブキャリア間隔は３１２．５ｋＨｚとすることができる。一方、８０２．１１ａｘでは以下が適用されることができる。ＨＥ  ＰＰＤＵにおけるデータシンボルは、１２．８μｓのＤＦＴ期間、および７８．１２５ｋＨｚのサブキャリア間隔を用いることができる。さらにＨＥ  ＰＰＤＵにおけるデータシンボルは、０．８μｓ、１．６μｓ、および３．２μｓのガードインターバル持続時間をサポートすることができる。またＨＥ  ＰＰＤＵは、レガシーデバイスとの下位互換性のために、各２０ＭＨｚ上に複製される、Ｌ−ＳＴＦ、Ｌ−ＬＴＦ、およびＬ−ＳＩＧフィールドを含むレガシープリアンブルを含むことができる。さらに、３．２μｓのＤＦＴ期間、および３１２．５ｋＨｚのサブキャリア間隔を用いたＨＥ−ＳＩＧ−Ａは、共通制御情報を示すために、レガシープリアンブルの後に、各２０ＭＨｚチャネル上に複製されることができる。
【００６５】
図１３は、例示的フレーム設計の図である。例示的フレーム設計は、ＰＨＹヘッダ、ＭＡＣヘッダ、およびＭＡＣフレームを含むことができる。以下の実施形態において、ＭＡＣアドレス、またはＰＡＩＤを含むことができるＭＡＣアドレスの表示を用いて、受信アドレス（ＲＡ）をプリアンブルに移動することができる解決策がもたらされる。この表示は、ＲＡ、ＴＡ、またはＲＡおよびＴＡの両方の組み合わせと通信するために用いられることができる。さらに本明細書で開示される例および解決策は、１２８または２５６ＦＦＴサイズなどの他のＦＦＴサイズを包含するように拡張されることができる。
【００６６】
例において正確なアドレス／ＩＤは、ＳＩＧ−ＡおよびＳＩＧ−Ｂフィールドの両方における要素を組み合わせることによって得られることができる。正確なアドレス／ＩＤは、ＭＡＣアドレスなどの汎用一意なアドレスにはなり得ない。しかしこれは、ネットワーク内でのアドレスの衝突確率がほとんどゼロとなるように十分に正確とすることができる。一実施形態においてＰＡＩＤ／グループＩＤはＳＩＧ−Ａフィールドに配置されることができ、新たに定義されたＩＤはＳＩＧ−Ｂフィールドに配置されることができる。この例においてこのフィールドは、ＰＡＩＤ２フィールドと呼ばれることができる。ＰＡＩＤ／グループＩＤ、およびＰＡＩＤ２フィールドを組み合わせることによって、ＰＡＩＤ衝突があり得るシナリオに対しても、一意のＭＡＣアドレスが得られることができる。
【００６７】
受信機としての１つまたは複数のＳＴＡとのダウンリンク送信に対してＲＡを表すために、または送信器としての１つまたは複数のＳＴＡとのアップリンク送信に対してＴＡを表すために、ＳＩＧ−ＢまたはＰＡＩＤ２フィールドにおけるＩＤは、以下の１つとすることができる。ＩＤは、現在のＰＡＩＤ式での未使用ＡＩＤビットの関数とすることができる（ＰＡＩＤ２＝ｆ（ＡＩＤ［８：１５］）、例えばｄｅｃ（ＡＩＤ［８−１２］））。またＩＤは、ＢＳＳＩＤおよびＡＩＤの新しい関数（ＰＡＩＤ２＝ｆ（ＡＩＤ，ＢＳＳＩＤ））とすることができる。さらにＩＤは、ＰＡＩＤ衝突が発見されたときに設定される特定の値とすることができる。この場合、新しいＰＡＩＤ値が推定されるたびに、ＰＡＩＤ２が設定されることができる。一例において、これはＡＰによってインクリメントされ、ＳＴＡに通信されることができる。
【００６８】
さらにＳＩＧ−ＢまたはＰＡＩＤ２フィールドにおけるＩＤは、条件付きで割り当てられ、例えばＰＡＩＤ衝突が生じた場合にのみ割り当てられることができる。一実施形態において、ｓｕｂ＿ＰＡＩＤフィールドが使用中の場合、ＳＩＧ−Ａ内のビット２３が１に設定されることができる。衝突がないシナリオでは、ビット２３はゼロに設定されることができる。
【００６９】
受信機としてのＡＰとのアップリンク送信に対してＲＡを表すため、または送信器としてのＡＰとのダウンリンク送信に対してＴＡを表すために、ＢＳＳＩＤの追加の未使用ビットが用いられることができる。例として４ビットの場合、ＰＡＩＤ２＝ｆ（ＢＳＳＩＤ（３５：３８））。
【００７０】
他の実施形態において、ＳＩＧ−ＡおよびＳＩＧ−Ｂフィールド内のＩＤの組み合わせから、ＡＰの完全なＭＡＣアドレスが導き出されることができる。例えばＰＡＩＤ２は、ＰＡＩＤ２＝（ＢＳＳＩＤ［１：３８］）とすることができる。
【００７１】
図１４は、ＰＬＣＰヘッダ内のＩＤの例の図である。例えばより正確なＩＤは、ＩＤ＝ｆｕｎｃｔｉｏｎ（ＰＡＩＤ１（ＳＩＧ−Ａ），ＰＡＩＤ２（ＳＩＧ−Ｂ））を含むことができる。
【００７２】
例示の手順は以下から構成されることができる。ＳＴＡはパケット検出を行うことを開始し、Ｌ−ＳＴＦ、Ｌ−ＬＴＦ、およびＬ−ＳＩＧフィールド１４０２を含むレガシープリアンブルを復号することができる。ＳＴＡはＨＥ−ＳＩＧ−Ａフィールド１４０４を復号し、ＰＡＩＤ／グループＩＤ情報１４０６を得ることができる。さらにＳＴＡは、それのＰＡＩＤ／グループＩＤを、検出されたＰＡＩＤ／グループＩＤと比較することができる。ＳＴＡが同じＰＡＩＤを有する、またはグループ内である場合、ＳＴＡは可能性のあるパケットの受信機となることができる。そうでない場合、ＳＴＡはパケットの受信機となることはできない。ＳＴＡはＰＡＩＤ１を用いて、可能性のあるアドレスまたはグループＩＤを特定のセット、例えばセットＡに狭めることができる。ＳＴＡは、ＨＥプリアンブル１４０８およびＨＥ−ＳＩＧ−Ｂフィールド１４１０の復号を続けることができる。ＳＴＡは、ＰＡＩＤ２  １４１２を得ることができる。ＳＴＡは、ＨＥ−ＳＩＧ−Ａフィールドから得られたＰＡＩＤと、ＨＥ−ＳＩＧ−Ｂフィールドから得られたＰＡＩＤ２とを組み合わせることができる。次いでＳＴＡは、セットＡからアドレス、またはグループＩＤを正確に決定することができる。
【００７３】
他の例示の手順においてＳＩＧ−Ａ内に定義されたＩＤを有さずに、ＳＩＧ−ＢフィールドにＡＩＤ全体を配置することによって、正確なアドレス／ＩＤが得られることができる。ＳＩＧ−Ｂフィールドは２５６ポイントＦＦＴ  ＯＦＤＭまたは同様な変換を用いて送られることができるので、ＳＩＧ−Ｂフィールド内のＩＤフィールドのサイズは、可能性のある衝突の効果を制限するように十分に大きくすることができる。
【００７４】
受信機としての１つまたは複数のＳＴＡとのダウンリンク送信に対してＲＡを表すため、または送信器としての１つまたは複数のＳＴＡとのアップリンク送信のＴＡを表すために、ＳＴＡ  ＡＩＤからより多くのビットが用いられることができる。一実施形態では１７ビットＰＡＩＤが用いられることができ、現在の計算で用いられるようなＡＩＤの最初の８ビットのみと対照的に、ＳＴＡの１６ビットＡＩＤ全体がＰＡＩＤ計算に用いられることを可能にする。
【００７５】
受信機としてのＡＰとのアップリンク送信におけるＲＡを表すため、または送信器としてのＡＰとのダウンリンク送信におけるＴＡを表すために、ＡＰのＢＳＳＩＤからも、より多くのビットが用いられることができる。一実施形態では１７ビットＰＡＩＤが用いられることができ、ＰＡＩＤ＝ｆ（ＢＳＳＩＤ［３０−４７］）によるＰＡＩＤ計算において、４８ビットＢＳＳＩＤのより多くが用いられることを可能にする。
【００７６】
図１５は、ＰＬＣＰヘッダ内のＩＤの他の例の図である。他の例示の手順は、以下から構成されることができる。ＳＴＡは、パケット検出を開始することができ、Ｌ−ＳＴＦ、Ｌ−ＬＴＦ、およびＬ−ＳＩＧフィールド１５０２を含むレガシープリアンブルを復号することができる。ＳＴＡは、ＨＥ−ＳＩＧ−Ａフィールド１５０４を復号することができる。ＳＴＡは、ＨＥプリアンブル１５０６およびＨＥ−ＳＩＧ−Ｂフィールド１５０８の復号を続けることができる。ＳＴＡは、ＰＡＩＤ２  １５１０を得ることができる。さらにＰＡＩＤ２  １５１０は、ＳＴＡがパケット１５００の送信器および／または受信機を決定するための、正確なアドレス情報を含むことができる。
【００７７】
図１６は、ＰＬＣＰヘッダ内のＩＤのさらに他の例の図である。例示の手順において正確なアドレス／ＩＤは、ＳＩＧ−Ｂフィールド内ではＩＤは定義されずに、ＳＩＧ−Ａフィールド内のみにＡＩＤ全体を配置することによって生成されることができる。この場合、衝突の影響を制限するために、以下の手法の１つが用いられることができる。例えば、ＰＡＩＤフィールドに割り当てられるビット数が増加されることができる。ＰＡＩＤフィールドは、パケット１６００の送信器および／または受信機の識別のための正確なアドレスを含むことができる。
【００７８】
また、ＰＡＩＤフィールドを設定するために用いられるように、複数の数式のセットが生成されることができる。ＰＡＩＤ数式の各セットは、他のセットとの重複を制限するように生成されることができる。複数の数式のセットを生成するように、ＰＡＩＤフィールドを生成するためにＢＳＳＩＤおよび／またはＡＩＤ内で異なるビットのセットが用いられることができる。また、ＰＡＩＤフィールドを生成するが、結果としてのＰＡＩＤフィールドを直交または半直交符号を用いて変調するように、同じ数式のセットが用いられることができる。用いられる数式が送信器において知られていることを確実にするために、ビットまたはビットのセットが設定されて、特定の数式のセットが用いられることを示すことができる。これは例えばＳＩＧ−Ａ内で、予約済みビットを用いて設定されることができる。あるいは、ＨＥ−ＳＩＧ−ＡおよびＨＥ−ＳＩＧ−Ｂフィールドにおける組み合わされたＰＡＩＤを用いた複合型の手法において、用いられる特定の数式セットがＳＩＧ−Ｂにおいて通信されることができる。例において衝突が検出された場合にのみ、代替の数式の使用がトリガされることができる。
【００７９】
例示の手順は、以下から構成されることができる。ＳＴＡは、パケット検出の開始を行い、Ｌ−ＳＴＦ、Ｌ−ＬＴＦ、およびＬ−ＳＩＧフィールドを含むレガシープリアンブルを復号することができる。さらにＳＴＡは、ＨＥ−ＳＩＧ−Ａフィールドを復号し、ＰＡＩＤ１を得ることができる。またＳＴＡは次いで、ＰＡＩＤ１に従ってアドレスまたはグループＩＤを正確に決定することができる。
【００８０】
ダウンリンクＭＵ−ＭＩＭＯを用いた８０２．１１ａｃに対するさらなる例において、グループＩＤはＳＩＧ−Ａフィールドに含められることができ、ＰＡＩＤは使用されなくてもよい。この手順においてグループＩＤはＨＥ−ＳＩＧ−Ａフィールドに含められることができ、ＡＩＤのバージョンがＨＥ−ＳＩＧ−Ｂフィールドに存在することができる。
【００８１】
ダウンリンクＭＵ送信を用いて、グループＩＤおよび／またはＢＳＳカラーフィールドは、ＨＥ−ＳＩＧ−Ａフィールドに含められることができる。代替の方法においてグループＩＤは、省略されることができる。さらにＤＬ  ＯＦＤＭＡ送信を用いて、ＨＥ−ＳＩＧ−Ｂフィールドは、各ＳＴＡ／ユーザに割り当てられたサブチャネル上に、別個に符号化および変調されることができる。１つのサブチャネルによって運ばれるＨＥ−ＳＩＧ−Ｂフィールドは、ＡＩＤを含むことができる。対応するＡＩＤを有するＳＴＡは、そのサブチャネルに割り当てられることができる。
【００８２】
アップリンクＭＵ送信を用いて、グループＩＤおよび／またはＢＳＳカラーフィールドは、ＨＥ−ＳＩＧ−Ａフィールドに含められることができる。すべてのアップリンク同時ＳＴＡによって、同じまたは共通ＨＥ−ＳＩＧ−Ａフィールドが送信されることができる。代替の方法ではＢＳＳカラーの代わりに、完全なＢＳＳＩＤまたは部分的ＢＳＳＩＤが、ＨＥ−ＳＩＧ−Ａフィールドに含められることができる。さらにＵＬ  ＯＦＤＭＡ送信を用いて、代替の方法および手順が適用されることができる。各アップリンクＳＴＡは、全体のチャネル上にＨＥ−ＳＩＧ−Ａフィールドを形成することができるが、割り当てられたサブチャネル上に信号を送信するだけで、割り当てられていないサブチャネル上に何も送信しないことができる。
【００８３】
アップリンクＯＦＤＭＡ送信を用いて各ＳＴＡは、それの割り当てられたサブチャネル上にＨＥ−ＳＩＧ−Ｂフィールドを送ることができる。ＳＴＡはそれのＡＩＤを、割り当てられたサブチャネル上のＨＥ−ＳＩＧ−Ｂフィールドに含めることができる。各ＳＴＡは、それ自体のＨＥ−ＳＩＧ−Ｂフィールドを有することができる。
【００８４】
さらに、アップリンクＭＵ−ＭＩＭＯ送信を用いて各ＳＴＡは、全体の帯域幅上にＨＥ−ＳＩＧ−Ｂフィールドを送ることができる。ＳＴＡは、ＡＩＤをＨＥ−ＳＩＧ−Ｂフィールドに含めることができる。各ＳＴＡは、共通のＨＥ−ＳＩＧ−Ｂフィールドを有することができる。
【００８５】
さらなる例では、ＳＴＡにおいてアップリンクＭＵ送信を受信および処理する手順は、以下から構成されることができる。ＳＴＡは、パケット検出の開始を行い、Ｌ−ＳＴＦ、Ｌ−ＬＴＦ、およびＬ−ＳＩＧフィールドを含むレガシープリアンブルを復号することができる。さらにＳＴＡは、ＨＥ−ＳＩＧ−Ａフィールドを復号し、方向ビット、ＢＳＳカラーおよび／またはグループＩＤを得ることができる。ＳＴＡは、パケットがアップリンクマルチユーザ送信のためであることを決定することができる。非ＡＰ  ＳＴＡはアップリンク送信を決定することができ、それはパケットの受信機になることはできない。さらにＡＰ  ＳＴＡは、それのＢＳＳカラーを検出されたＢＳＳカラーと比較し、それが可能性のある受信機であるかどうかを決定することができる。他の例において、ＢＳＳＩＤの一部または完全なＢＳＳＩＤが含まれる場合、ＡＰ  ＳＴＡはそれが可能性のある受信機であるかどうかをより正確に決定することができる。またＳＴＡは、すべてのサブチャネル上のＨＥプリアンブルおよびＨＥ−ＳＩＧ−Ｂフィールドの復号を続けることができる。ＳＴＡは複数のＡＩＤを得ることができる。送信の、可能性のある受信機となることができるＡＰ  ＳＴＡは、受信されたＡＩＤをグループＩＤと比較することができる。ユーザに対応するすべてのＡＩＤがグループＩＤによって識別された場合、ＡＰは次いで、それが送信の受信機となることができることを正確に決定することができる。例において決定は、ＢＳＳカラー／部分的ＢＳＳＩＤ、グループＩＤ、およびＡＩＤから得られるすべての情報に基づくことができる。
【００８６】
さらなる例では、ＳＴＡにおいてＤＬ  ＯＦＤＭＡ送信を受信および処理する手順は、以下から構成されることができる。ＳＴＡは、パケット検出の開始を行い、Ｌ−ＳＴＦ、Ｌ−ＬＴＦ、およびＬ−ＳＩＧフィールドを含むレガシープリアンブルを復号することができる。さらにＳＴＡは、ＨＥ−ＳＩＧ−Ａフィールドを復号し、ＢＳＳカラーおよびグループＩＤを得ることができる。ＳＴＡは、パケットがＤＬ  ＯＦＤＭＡ送信のためであることを決定することができる。またＳＴＡは、それのＢＳＳカラーおよびグループＩＤを検出されたＢＳＳカラーおよびグループＩＤと比較することができる。ＳＴＡが同じＢＳＳカラーを有し、グループの一部である場合、ＳＴＡはパケットの、可能性のある受信機となることができる。そうでない場合、ＳＴＡはパケットの受信機となることはできない。ＳＴＡは、ＢＳＳカラーおよびグループＩＤを用いて、可能性のある受信機または受信機グループのアドレスの数を特定のセット、例えばセットＡに狭めることができる。さらにＳＴＡは、すべてのサブチャネル上のＨＥプリアンブルおよびＨＥ−ＳＩＧ−Ｂフィールドの復号を続けることができる。ＳＴＡは複数のＡＩＤを得ることができる。さらにＳＴＡは、それのＡＩＤを得られたＡＩＤと比較することができる。ＳＴＡのＡＩＤが一定のサブチャネル上で運ばれる場合、ＳＴＡはＯＦＤＭＡ送信の受信機となることができ、ＳＴＡに割り当てられたサブチャネルはＡＩＤを運ぶサブチャネルとなることができる。次いでＳＴＡは、特定のセット例えばセットＡから、アドレスまたはグループＩＤを正確に決定することができる。
【００８７】
さらなる例では８０２．１１ａｃおよび関連する仕様において、送信器（ＴＡ）および受信機（ＲＡ）のＭＡＣアドレスは、ＭＡＣヘッダ内で運ばれることができる。ＭＡＣアドレスは、ＳＴＡに対する一意のＩＤとなることができ、６オクテットを含む。８０２．１１ａｘで論じられている、より長いシンボル持続時間を用いて、１つのＯＦＤＭシンボルとすることができるＳＩＧ−Ｂフィールドは、１つまたは複数のＭＡＣアドレスを運ぶことができる。
【００８８】
一例示の方法において、ＲＡは、ＳＩＧ−Ｂフィールドに含められることができる。他の例示の方法では、ＲＡおよびＴＡの両方がＳＩＧ−Ｂフィールドに含められることができる。第３の例示の方法では、ＲＡおよびＴＡの圧縮されたバージョンがＳＩＧ−Ｂフィールドに含められることができる。ＲＡおよびＴＡの圧縮されたバージョンは、ＲＡおよびＴＡの両方の関数とすることができる。例えばＲＡおよびＴＡを組み合わせるために、ＯＲ、ＸＯＲ、ＡＮＤなどのビットごとの演算が用いられることができる。さらに、関数にモジュロ演算が適用されることができる。
【００８９】
第４の例示の方法において、ＲＡおよびＴＡは、ＳＩＧ−Ａフィールドでのパラメータ設定、またはＳＩＧ−Ｂフィールドの残り、またはＳＩＧ−ＡおよびＳＩＧ−Ｂフィールドの組み合わせに応じて、ＳＩＧ−Ｂフィールド内に提示されるまたはされないことができる。例えば、競合なしに前の送信の後に送信されることができる応答するフレームに対しては、ＲＡが存在することができる。さらなる例として、競合してチャネルを取得したＳＴＡによって送信されることができる開始フレームに対しては、ＲＡおよびＴＡの両方が存在することができる。他の例として、応答するフレームと開始フレームを区別するために、ＰＬＣＰヘッダ内のシグナリングフィールドの１つにおいて、１つのビットが明示的に利用されることができる。このビットは、応答ビットまたは他の用語で呼ばれることができる。代替としてまたは組み合わせにおいて、暗黙的シグナリング方法が適用されることができる。
【００９０】
例において、１つまたは複数のＭＡＣアドレスはＰＬＣＰヘッダに移動されることができるので、それに従ってＭＡＣヘッダは変更されることができる。ＲＡフィールドはＭＡＣヘッダ内に存在しないことができ、ＴＡフィールドは任意選択でＭＡＣヘッダ内に存在することができる。
【００９１】
上記の第４の方法に対する例示の手順は、以下から構成されることができる。ＳＴＡは、パケット検出の開始を行い、Ｌ−ＳＴＦ、Ｌ−ＬＴＦ、およびＬ−ＳＩＧフィールドを含むレガシープリアンブルを復号することができる。さらにＳＴＡは、ＨＥ−ＳＩＧ−Ａフィールドを復号し、応答ビットを得ることができる。
【００９２】
応答するフレームに対してＳＴＡは、それが、応答するフレームが応答した前のフレームを送ったかどうかをチェックすることによって、それが送信の一部であるかどうかを決定することができる。またＳＴＡは、ＨＥプリアンブルおよびＨＥ−ＳＩＧ−Ｂフィールドの復号を続けることができる。ＳＴＡはまた、ＲＡフィールドを得ることができる。ＲＡフィールドをチェックすることによってＳＴＡは、それが送信の受信機であるかどうかを決定することができる。それが受信機である場合、応答するフレームが応答した前のフレームをチェックすることによって、ＳＴＡは現在のフレームの送信器を決定することができる。
【００９３】
開始フレームに対してＳＴＡは、ＨＥプリアンブルおよびＨＥ−ＳＩＧ−Ｂの復号を続けることができる。ＨＥ−ＳＩＧ内のＲＡおよびＴＡフィールドに従って、ＳＴＡはフレームの送信器および受信機を一意に決定することができる。
【００９４】
さらなる例において、ＡＰ／ＳＴＡは、ＰＡＩＤ発見のためのシグナリングおよび手順を用いることができる。この実施形態において、手順は、ＳＴＡ、ＡＰ、またはＳＴＡのセットの部分的ＡＩＤが、ネットワークによって発見されることを可能にするように定義されることができる。ＡＰ／ＳＴＡはこの手順を用いて、特定のノードに関連付けられたＰＡＩＤ値が正確であることを確実にすることができる。これは、ＡＰおよびＳＴＡの密度が結果として同じＰＡＩＤが複数のＳＴＡに割り当てられることになり得る、ＯＢＳＳを有する高密度ネットワークなど、ＰＡＩＤ衝突が起こり得るシナリオにおいて必要となり得る。
【００９５】
例においてＰＡＩＤ発見手順は、特定のＰＡＩＤに対して以下のように開始されることができる。ＡＰまたはＳＴＡが特定のＰＡＩＤに関連付けられたＭＡＣアドレスを見出すことを可能にするために、ＰＡＩＤ発見要求フレームが送られることができる。さらに、送出されたＰＡＩＤを用いて識別されるすべてのＳＴＡは、要求されるＰＡＩＤおよび関連付けられたＭＡＣアドレスを含む、ＰＡＩＤ応答フレームを用いて返答することができる。例においてＰＡＩＤ応答フレームは、他のＭＡＣフレームと集約されることができる。他の実施形態においてグローバルＰＡＩＤ要求フレームは、ＢＳＳに関連付けられたすべてのＳＴＡに、それらのＰＡＩＤおよび対応するＭＡＣアドレスを用いて返答することを要求することができる。ＰＡＩＤ要求に対して返答する複数のＳＴＡが存在する場合は、ＰＡＩＤ衝突緩和手順が開始されることができる。
【００９６】
さらなる例において、ＰＡＩＤ要求フレームは、ＡＰからＳＴＡに、またはその逆に送信されることができる。さらに、重複に対してチェックされるように、すべてのＳＴＡにそれらの情報を送ることを要求するために、ＰＡＩＤ要求フレームはＡＰからブロードキャストされることができる。また衝突するＰＡＩＤを有するすべてのＳＴＡがそれらの情報を送るように、ＰＡＩＤ要求フレームは特定のＰＡＩＤに対する要求とすることができる。
【００９７】
図１７は、ＰＡＩＤ発見要求フレーム１７００の例の図である。例示的ＰＡＩＤ発見要求フレーム１７００は、フレーム制御フィールド１７０２、持続時間フィールド１７０４、ＲＡフィールド１７０６、およびＴＡフィールド１７０８から構成される。
【００９８】
図１８は、グローバルＰＡＩＤ発見要求フレーム１８００の例の図である。例示的グローバルＰＡＩＤ発見要求フレーム１８００は、フレーム制御フィールド１８０２、持続時間フィールド１８０４、およびＴＡフィールド１８０６から構成されることが示される。
【００９９】
図１９は、ＰＡＩＤ発見応答フレーム１９００の例の図である。例示的ＰＡＩＤ発見応答フレーム１９００は、フレーム制御フィールド１９０２、持続時間フィールド１９０４、ＲＡフィールド１９０６、ＴＡフィールド１９０８、および現在のＰＡＩＤフィールド１９１０から構成されることが示される。
【０１００】
さらなる例においてＡＰ／ＳＴＡは、衝突検出によってトリガされる新しいＰＡＩＤを割り当てる手順を用いることができる。高密度ネットワークシナリオでは、同じＰＡＩＤを用いて識別される複数のＳＴＡが存在する場合がある。単一ＢＳＳシナリオでは、この条件はＡＰによって識別されることができる。この場合ＡＰは、ＳＴＡに新しいＡＩＤを割り当てることを決定することができ、または上記で論じられたような異なるＰＡＩＤアドレス方法論を用いて、ＰＡＩＤアドレスを変更することを決定することができる。これはＳＴＡ関連付けプロセス時に生じることができる。
【０１０１】
図２０は、関連付け応答時に用いられることができる、ＰＡＩＤ変更フレーム２０００の例の図である。ＰＡＩＤ変更フレームは、早期パケット検出をサポートすることができ、関連付け手順において用いられることができる。例示的ＰＡＩＤ変更フレーム２０００は、フレーム制御フィールド２００２、持続時間フィールド２００４、ＲＡ／ターゲットアドレス２００６、ＴＡフィールド２００８、ＰＡＩＤ数式インデックスフィールド２０１０、および新しいＰＡＩＤフィールド２０１２から構成されることが示される。
【０１０２】
図２１は、ＰＡＩＤ衝突認識型ＡＩＤ割り当てを用いた関連付け手順の例の図である。以下の例示の関連付け手順が用いられることができる。ＳＴＡが、どのＡＰに関連付けられることを望むかを決定するとき、ＳＴＡは関連付け要求をそのＡＰに送ることができる。２１０２でＡＰは関連付け要求を受信し、２１０４でＳＴＡのためのＡＩＤを生成することができる。例において、２１０６でＡＰはまた、ＡＩＤに従ってＰＡＩＤを計算することができる。２１０８でＡＰは、ＰＡＩＤ衝突がないことを確実にするように、ＡＩＤに基づいて推定されたＰＡＩＤをチェックすることができる。ＰＡＩＤ衝突がない場合、ＡＰはＳＴＡに関連付け応答フレームを送ることができる。例において、２１１０でＡＰは、ＳＴＡにＡＩＤを割り当てることができる。ＰＡＩＤ衝突がある場合、２１１２でＡＰはすべての可能な関連付けＩＤを通して循環して、衝突を回避するものを見出し、次いでＳＴＡに関連付け応答を送ることができる。ＡＰが衝突しないＡＩＤを見出すことができない場合、２１１４でＡＰはＳＴＡに関連付けしないことができる。またＡＰは、上記で論じられたように、異なる数式のセットを用いてＰＡＩＤフィールドを生成することができる。次いでＡＰは、ＳＴＡに関連付け応答を送ることができる。ＡＰはまた、ＰＡＩＤ変更フレームまたは同様なフレームを送って、異なるＰＡＩＤ推定式の使用を示すことができる。例えば、ＡＰは、図２０のＰＡＩＤ数式インデックスフィールド２０１０、および／または代替として図２０の新しいまたは変更されたＰＡＩＤフィールド２０１２に示されるような特定のＰＡＩＤアドレスを用いることができる。
【０１０３】
図２２は、ＰＡＩＤ変更フレーム２２００の例の図である。複数のＢＳＳが圏内にあり、重複するシナリオにおいて、この重複状態は、上記で開示された手順によって識別されることができる。ＰＡＩＤ変更フレーム２２００は、例えばフレーム制御フィールド２２０２、持続時間フィールド２２０４、ＲＡ／ターゲットアドレスフィールド２２０６、ＴＡフィールド２２０８、現在のＰＡＩＤフィールド２２１０、および新しいＰＡＩＤフィールド２２１２を含む。ＳＴＡＩＤまたはＰＡＩＤの長さは、変わることができる。８０２．１１ａｘにおいて、ＳＴＡＩＤは８ビットから１１ビットに変更された。現在のＰＡＩＤフィールド２２１０、または新しいＰＡＩＤフィールド２２１２は、ＳＴＡＩＤを運ぶことができる。
【０１０４】
ＰＡＩＤ衝突の発見の後すぐにＡＰは、以下の例示の手順を実施することによって衝突の影響を緩和することができる。ＡＰは、上記のＰＡＩＤ問題を検出することができ、送るための新しいＰＡＩＤを推定することができる。さらにＡＰは、変更が望まれるＳＴＡの古いＰＡＩＤ、新しいＰＡＩＤ、およびＭＡＣアドレスを含んだＭＡＣフレームを用いて、提案されるＰＡＩＤをＳＴＡに送ることができる。利用されることができるＰＡＩＤ変更フレームの例は、図２２に示される。
【０１０５】
さらにＳＴＡは、変更が生じたことを示すＡＣＫを送り返すことができる。ＡＣＫは、新しいＰＡＩＤ値、またはそれの対応するＭＡＣアドレス、または両方を含むことができる。
【０１０６】
早期検出をサポートするために、そうでない場合にＭＡＣヘッダ内で運ばれることができるいくつかの情報をＳＩＧフィールド、例えばＨＥ−ＳＩＧ−Ｂフィールドに移動することが可能であり得る。上述の情報は、ＭＡＣアドレス、持続時間フィールドなどを含むことができる。持続時間フィールドは、対象でないＳＴＡがそれに従ってＮＡＶを設定するために用いられることができる。
【０１０７】
マルチ帯域幅送信に対するサポートがもたらされることができる。例において、信号フィールドをエンコードし送信するための変更された方法および手順が開示される。本明細書で用いられるサブチャネルとは、ＳＴＡに割り当てられることができる最小の周波数リソースを指すことができる。最小サブチャネル帯域幅は、８０２．１１ａｃまたは関連する仕様で規定されることはできない。最小サブチャネル帯域幅は、例えば１、２、５、１０、および／または２０ＭＨｚなどの許容される帯域幅のセットに限定されることができる。
【０１０８】
基本チャネルとは、個々のＳＴＡに割り当てられることができる最小の周波数リソースを指すことができる。８０２．１１ａｃ仕様では、これは２０ＭＨｚ未満になることはできない。この実施形態において最小許容周波数リソースは、これより小さくおよび／または大きくなることができる。通常、基本チャネルは、Ｌ−ＳＴＦ／Ｌ−ＬＴＦ／Ｌ−ＳＩＧおよびＳＩＧ−Ａフィールドの完全なバージョンを送信するために用いられることができる最小チャネルである。８０２．１１ａｃに対して述べられたように、基本チャネルは２０ＭＨｚ帯域幅（ＢＷ）チャネルを指すことができる。
【０１０９】
サブチャネルは、基本チャネルと同じサイズを有することができる。またはサブチャネルは、基本チャネルより狭いＢＷを有することができる。第２のシナリオでは、基本チャネル上でＯＦＤＭＡ送信が可能となることができる。
【０１１０】
次世代ＨＥ  ＷＬＡＮシステムは、ダウンリンクおよびアップリンクの両方に対して、ＯＦＤＭＡなどの複数ユーザ送信をサポートすることができる。既存の８０２．１１システムへの拡張は、好ましいＯＦＤＭＡサブチャネル帯域幅として、基本またはできる限り最小のチャネル帯域幅を利用することとすることができる。例えば２．４ＧＨｚ／５ＧＨｚ帯域上のＯＦＤＭＡサブチャネル帯域幅は２０ＭＨｚ、さらにはより小さくすることができる。
【０１１１】
図２３は、サブチャネルおよび基本チャネルの割り当ての例の図である。図２３Ａに示されるように、ユーザに割り当てられるサブチャネルの帯域幅は、異なる時点で異なる帯域幅を有することができる。図２３を参照して、帯域幅はｙ軸での周波数によって表され、時間はｘ軸によって表されることが留意されるべきである。例えばユーザ１データ２３０２は、異なる時間インスタンスにおけるユーザ１データ２３０４のサイズのおよそ２倍である。ユーザ２データ２３０６およびユーザ２データ２３０８に対しても、同じことが成り立つ。
【０１１２】
図２３Ｂは、同じ時間の瞬間において、異なるユーザに対して割り当てられる帯域幅が異なることを示す。ユーザ１データ２３１０はユーザ２データ２３１２より狭いサブチャネル内に示され、ユーザ２データ２３１２はユーザ３データ２３１４より狭いサブチャネル内に示される。
【０１１３】
図２３Ｃはまた、どのようにＳＴＡに複数のサブチャネルが連続してまたは連続せずに割り当てられることができるかの例を示す。ユーザ１データ２３１６およびユーザ１データ２３２０のためのサブチャネルは、ユーザ２データ２３１８およびユーザ２データ２３２２のためのサブチャネルと共に散在して示される。ＯＦＤＭＡに類似の送信は定義されることができないので、ＭＡＣ／ＰＨＹ手順、および例えば２０ＭＨｚより小さなサブチャネルのための関連するシグナリングは、サポートされることができない。
【０１１４】
例において、ＳＴＡ１はチャネルを取得し、１つまたは複数のサブチャネル上でＳＴＡ２にパケットを送信することができる。送信は、ＳＴＡ１が可能な取得されたサブチャネルを用いてＳＴＡ２にパケットを送信することができる、単一ユーザ送信を表すことができる。さらに送信は、ＭＵ送信の一部とすることができる。ＤＬ  ＭＵ送信シナリオにおいて、ＳＴＡ１はＡＰを表すことができ、ＳＴＡ２は非ＡＰ  ＳＴＡを表すことができる。ＳＴＡ１は複数のサブチャネルを取得し、ＳＴＡ２を含む複数のユーザに同時に送信することができる。ＳＴＡ１は、１つまたは複数のサブチャネルをＳＴＡ２に割り当てることができる。
【０１１５】
アップリンクＭＵ送信シナリオにおいて、ＳＴＡ１は非ＡＰ  ＳＴＡを表すことができ、ＳＴＡ２はＡＰを表すことができる。ＳＴＡ１は、アップリンクＭＵ送信を用いて、他の非ＡＰ  ＳＴＡと一緒にＳＴＡ２に送信することができる。ＳＴＡ１は、１つのまたは複数のサブチャネルを用いることができる。
【０１１６】
例において複数のサブチャネル、例えばＨＥ−ＳＩＧ−Ｂフィールドにわたって、シグナリング情報をエンコードするために、スペクトル不等符号化が利用されることができる。各サブチャネルは、全体の情報フィールドを表す可変の細分性を有することができ、細分性は低いオーバーヘッドを可能にすることができる。
【０１１７】
図２４は、４つのサブチャネル２４０２〜２４０８上の、持続時間フィールド２４１０の多分解能符号化の例の図である。例において持続時間フィールド２４１０は、ＨＥ−ＳＩＧ−Ｂフィールド２４１２に含められることができる。ＨＥ−ＳＩＧ−Ｂフィールド２４１２は、Ｍ個のサブチャネル２４０２〜２４０８上で運ばれることができる。この例においてＳＴＡのペア、例えばＳＴＡ１とＳＴＡ２との間の通信は、Ｍ個のサブチャネルに割り当てられることができる。持続時間フィールドは、表されることになるＮビットを用いる必要があり得る。持続時間フィールドはＭ個の部分に分割されることができ、第１のＭ−１個の部分はそれぞれｃｅｉｌｉｎｇ（Ｎ／Ｍ）ビットを含むことができる。および最後の部分は、Ｎ−ｃｅｉｌｉｎｇ（Ｎ／Ｍ）×（Ｍ−１）ビットを含むことができる。第１のサブチャネルのＨＥ−ＳＩＧ−Ｂフィールドは、第１の部分、すなわち持続時間フィールド２４１０のｃｅｉｌｉｎｇ（Ｎ／Ｍ）個の最上位ビット（ＭＳＢ）を運ぶことができる。図２４に示されるように、第２のサブチャネルのＨＥ−ＳＩＧ−Ｂフィールドは第２の部分を運ぶことができ、以下同様となる。
【０１１８】
図２５は、信号フィールドに対するスペクトル不等符号化のための例示のＳＩＧ設計の図である。図２５Ａにおいて共通信号フィールド、ＨＥ−ＳＩＧ−Ａフィールド２５０２はチャネル上に符号化および変調されることができる。このチャネルはさらに複数のサブチャネルに分割されることができ、これらは１つのまたは複数のユーザに割り当てられることができる。この例においてチャネルは４つのサブチャネル２５０４〜２５１０に分割され、１つのユーザに割り当てられることができる。第２の信号フィールド、例えばＨＥ−ＳＩＧ−Ｂフィールド２５１２は、スペクトル不等符号化手順を用いて、割り当てられたサブチャネル上に符号化および変調されることができる。
【０１１９】
図２５Ｂは他の例を示す。共通信号フィールド、例えばＨＥ−ＳＩＧ−Ａフィールド２５２２は基本チャネル上に符号化および変調され、他の取得されたチャネルに反復される。サブチャネルのいくつかは、１つのユーザに割り当てられることができる。この例において基本チャネルは２つのサブチャネル、例えばサブチャネル１  ２５２４およびサブチャネル２  ２５２６、またはサブチャネル３  ２５２８およびサブチャネル４  ２５３０を含むことができる。４つのサブチャネルは、ＳＴＡに割り当てられることができる。第２の信号フィールド、例えばＨＥ−ＳＩＧ−Ｂフィールド２５３２は、スペクトル不等符号化手順を用いて、割り当てられたサブチャネル上に符号化および変調されることができる。
【０１２０】
図２５Ｃは第３の例を示す。この例において、基本チャネルは１つのサブチャネルを含むことができる。共通信号フィールド、例えばＨＥ−ＳＩＧ−Ａフィールド２５４２は、基本チャネル上に符号化および変調されることができる。４つのサブチャネル２５４４〜２５５０は、ＳＴＡに割り当てられることができる。第２の信号フィールド、例えばＨＥ−ＳＩＧ−Ｂフィールド２５５２は、スペクトル不等符号化手順を用いて、割り当てられたサブチャネル上に符号化および変調されることができる。
【０１２１】
実施形態において、送信器としてのＳＴＡ１と呼ばれるＳＴＡは、例示の手順に従うことができる。ＳＴＡ１は、ＳＴＡ２のために割り当てられるまたは利用可能なサブチャネルの数を決定し、その数をＭと表すことができる。さらにＳＴＡ１は、それの共通信号フィールドの１つにＭを含めることができる。例えば、それはＭをＨＥ−ＳＩＧ−Ａフィールドに含めることができる。Ｍはサブチャネルの数として直接、または帯域幅フィールドおよび／または他のフィールドを用いてシグナリングされることができる。またＳＴＡ１は第２の信号フィールド、例えばＨＥ−ＳＩＧ−Ｂフィールド上にスペクトル不等符号化を開始することができ、これはサブチャネルごとに異なるＨＥ−ＳＩＧ−Ｂフィールドを導入することができる。本明細書で用いられる、サブチャネルｋ上のＳＩＧ−Ｂフィールドとは、レベルｋ情報と呼ばれることができる。レベル１からレベルＭまで次第に微細になる細分性が存在することができる。第２の信号フィールドは、持続時間、パケット長、ＳＴＡ  ＩＤなどの情報を含むことができる。レベル１情報は、第１のサブチャネル上で送信され、基本情報、または最も粗い細分性を有する情報と見なされることができる。レベル２情報は、第２のサブチャネル上で送信され、レベル１情報の延長、またはより微細な細分性を有する情報と見なされることができる。レベルＭ情報は、Ｍ番目のサブチャネル上に含まれることができる。これは最後の分解能信号情報、または最も微細な情報を含むことができる。例において、サブチャネルと細分性レベルとの間のマッピングは、高信頼性のためのサブチャネルのチャネル品質に依存することができる。
【０１２２】
実施形態において、対象とする受信機としてのＳＴＡ２と呼ばれるＳＴＡは、例示の手順に従うことができる。ＳＴＡ２は、共通信号フィールドをチェックすることによって、割り当てられたまたは利用可能なサブチャネルの数（Ｍ）を決定することができる。例えばそれは、ＨＥ−ＳＩＧ−Ａフィールドをチェックすることができる。Ｍはサブチャネルの数として直接、または帯域幅フィールドおよび／または他のフィールドを用いてシグナリングされることができる。
【０１２３】
さらにＳＴＡ２は第２の信号フィールド、例えばＨＥ−ＳＩＧ−Ｂフィールド上でスペクトル不等復号を開始することができる。復号手順は、順番にサブチャネル上で行われることができる。第１のレベルは、第１のサブチャネル上で得られることができる。ＳＴＡ２は、第１レベル信号を単独に検出および復号することによって、粗い情報を得ることができる。第２レベル信号情報は、第２のサブチャネル上で得られることができる。第２の分解能信号情報は、第１レベル情報の延長、またはより微細な細分性を有する情報と見なされることができ、受信機は第１および第２レベルの情報を組み合わせて、第１レベル情報より精細な、またはより正確な情報を得ることができる。Ｍ番目のレベルの信号情報は、Ｍ番目のサブチャネル上で得られることができる。これは最後のレベルの信号情報、または最も精細な情報を含むことができる。Ｍ個のレベルからのすべての情報を組み合わせることによって、受信機は完全な情報を得ることができる。
【０１２４】
対象でないＳＴＡは、例示の手順に従うことができる。対象でないＳＴＡは、共通信号フィールドをチェックすることによって、割り当てられたまたは利用可能なサブチャネルの数Ｍを決定することができる。例えばそれは、ＨＥ−ＳＩＧ−Ａフィールドをチェックすることができる。Ｍはサブチャネルの数として直接、または帯域幅フィールドおよび／または他のフィールドを用いてシグナリングされることができる。対象でないＳＴＡの能力に応じて、それはいくつかのサブチャネル上の第２の信号フィールドの復号を行うことができる。ＳＴＡは、第１のサブチャネル上の信号情報を復号することができる。このＳＩＧフィールドに含まれた情報が、対象でない受信機検出を通じて、パケットが受信機のためではない、または受信機のためのＮＡＶ設定であるかどうかを、受信機が決定するのに十分である場合、受信機は復号手順を停止し、それに従ってＮＡＶを設定することができる。そうでない場合、それは第２のサブチャネル上の復号手順を続けることができる。ＳＴＡは、十分な情報を得るまで、同様な復号手順を続けることができる。
【０１２５】
本明細書での使用において、当業者は本明細書で呼ばれるＳＴＡはまた、リレーとして利用されるＳＴＡとすることができることを認識し理解するであろう。
【０１２６】
図２６は、スペクトル不等符号化の例の図である。例において複数のサブチャネル、例えばＨＥ−ＳＩＧ−Ｂフィールド２６０２上にＳＩＧ情報をエンコードするために、自己完結型スペクトル不等符号化が利用されることができる。各サブチャネル２６０４〜２６１０は全体の情報フィールド２６１２の自己完結型バージョンを有することができ、これは信号情報要素のすべての回復を容易にするために用いられることができる。
【０１２７】
例えば、情報フィールド２６１２は、ＨＥ−ＳＩＧ−Ｂフィールド２６０２に含められることができる。情報フィールドは、持続時間フィールド、ＳＴＡ  ＩＤ、パケット長などを含むことができる。ＨＥ−ＳＩＧ−Ｂフィールドは、Ｍ個のサブチャネル２６０４〜２６１０上で運ばれることができる。この例においてＳＴＡ１とＳＴＡ２との間の通信は、Ｍ個のサブチャネルに割り当てられることができる。情報フィールドは、Ｍ個の異なるエンコーダ２６１４〜２６２０によってエンコードされることができる。エンコーダは、同じまたは同じでないものとすることができる。エンコーダのそれぞれの符号化レートは、同じまたは同じでないものとすることができる。エンコーダの符号化レートは、ＨＥ−ＳＩＧ−Ａなどの他の信号フィールドのために用いられる符号化レートとは異なることができる。
【０１２８】
他の例示の方法において、情報フィールドは、異なるサブチャネル上で異なるＭＣＳを用いて変調および符号化されることができる。送信器、ＳＴＡ１は、サブチャネルに対してＭＣＳを割り当てることができる。ＭＣＳ割り当ては、サブチャネル条件を考慮することができる。ＨＥ−ＳＩＧ−ＢフィールドのためのＭＣＳは、ＨＥ−ＳＩＧ−Ａフィールドにおいてシグナリングされることができる。
【０１２９】
送信器としてのＳＴＡ１は、例示の手順に従うことができる。ＳＴＡ１は、ＳＴＡ２のために割り当てられるまたは利用可能なサブチャネルの数を決定し、それをＭとして表すことができる。さらにＳＴＡ１は、それの共通信号フィールドの１つにＭを含めることができる。例えばそれは、ＭをＨＥ−ＳＩＧ−Ａフィールドに含めることができる。Ｍはサブチャネルの数として直接、または帯域幅フィールドおよび／または他のフィールドを用いてシグナリングされることができる。またＳＴＡ１は、Ｍ個のサブチャネル上のＳＩＧ−Ｂフィールドに対して、Ｍ個のエンコーダまたはＭ個のＭＣＳレベルを選択することができる。ＳＴＡ１は、エンコーダおよび／またはＭＣＳ情報をＨＥ−ＳＩＧ−Ａフィールドにおいてシグナリングすることができる。さらにＳＴＡ１は第２の信号フィールド、例えばＨＥ−ＳＩＧ−Ｂフィールド上での自己完結型スペクトル不等符号化を開始することができ、これはサブチャネルごとに異なるＨＥ−ＳＩＧ−Ｂフィールドを導入することができる。本明細書で用いられる、サブチャネルｋ上のＳＩＧ−Ｂフィールドは、レベルｋ情報と呼ばれることができる。各レベルは、自己完結型情報を含むことができる。第２の信号フィールドは、持続時間、パケット長、ＳＴＡ  ＩＤなどの情報を含むことができる。レベル１情報は、エンコーダ１またはＭＣＳ１を用いてエンコードされ、第１のサブチャネル上に送信されることができる。レベル２情報は、エンコーダ２またはＭＣＳ２を用いてエンコードされ、第１のサブチャネル上に送信されることができる。レベルＭ情報は、エンコーダＭまたはＭＣＳ  Ｍを用いてエンコードされ、第１のサブチャネル上に送信されることができる。
【０１３０】
受信機としてのＳＴＡ２は、例示の手順に従うことができる。ＳＴＡ２は、共通信号フィールドをチェックすることによってサブチャネルの数Ｍを決定することができる。例えばそれは、ＨＥ−ＳＩＧ−Ａフィールドをチェックすることができる。Ｍはサブチャネルの数として直接、または帯域幅フィールドおよび／または他のフィールドを用いてシグナリングされることができる。さらにＳＴＡ２は、共通信号フィールド、例えばＨＥ−ＳＩＧ−Ａフィールドをチェックすることによって、各サブチャネルのための符号化方式およびＭＣＳレベルを決定することができる。またＳＴＡ２は、第２の信号フィールド、例えばＨＥ−ＳＩＧ−Ｂフィールド上で自己完結型スペクトル不等復号を開始することができる。復号手順は、サブチャネルのそれぞれまたはいくつかに対して行われることができる。ＳＴＡ２は、復号手順をサブチャネルの１つにおいて行うことができる。ＳＩＧ−Ｂフィールドの復号が成功した場合、ＳＴＡ２は復号手順を停止することができる。そうでない場合、それは残りのサブチャネルの１つの復号を続けることができる。ＳＴＡ２は、受信されたシンボルのすべてを、前に復号されたサブチャネルからのものを含み、一緒に組み合わせてＳＩＧ−Ｂフィールドを復号することができる。
【０１３１】
他の例において、より効率的な符号化方式のためのＳＩＧ手順が用いられることができる。現在の８０２．１１標準により、すべてのシグナリングフィールドは最も低位のＭＣＳレベル、例えばＭＣＳ０を用いて符号化および変調されることができる。実施形態ではＨＥ−ＳＩＧ−Ｂフィールドのために、より高位のＭＣＳが用いられることができる。例においてＨＥ−ＳＩＧ−ＢフィールドのためのＭＣＳ選択は、実装形態に固有とすることができる。実施形態においてＨＥ−ＳＩＧ−ＢのためのＭＣＳセットは、システムで定義されるＭＣＳのすべてとすることができる。または他の実施形態において、それはＭＳＣセット全体のサブセットとすることができる。例えばそれは、ＢＳＳ内のすべてのＳＴＡがサポートする、基本ＭＣＳセットとすることができる。ＨＥ−ＳＩＧ−ＢのためのＭＣＳは、ＨＥ−ＳＩＧ−Ａフィールドにおいてシグナリングされることができる。
【０１３２】
本明細書で述べられる例は、８０２．１１固有のプロトコルを考察しているが、当業者は、例はこのシナリオに限定されず、他の無線システムおよびＲＡＴにも適用可能であることを認識し理解するであろう。さらに本明細書で設計および手順の例において様々なフレーム間の間隔を示すために用語ＳＩＦＳが用いられ得るが、ＲＩＦＳまたは他の合意された時間間隔などのすべての他のフレーム間の間隔が同じ解決策に応用されることができる。
【０１３３】
特徴および要素は上記では特定の組み合わせにおいて述べられたが、当業者は、各特徴または要素は単独で、または他の特徴および要素との任意の組み合わせにおいて用いられることができることを理解するであろう。さらに本明細書で述べられる方法は、コンピュータまたはプロセッサによる実行のためにコンピュータ可読媒体に組み込まれた、コンピュータプログラム、ソフトウェア、またはファームウェアにおいて実施されることができる。コンピュータ可読媒体の例は、電子信号（有線または無線接続を通して送信される）、およびコンピュータ可読記憶媒体を含む。コンピュータ可読記憶媒体の例は、読み出し専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体を含むが、それらに限定されない。ＷＴＲＵ、ＵＥ、端末装置、基地局、ＲＮＣ、または任意のホストコンピュータにおける使用のための無線周波数送受信機を実施するように、ソフトウェアに関連してプロセッサが用いられることができる。
【図１Ａ】
0006511536.tif 000002
【図１Ｂ】
0006511536.tif 000003
【図１Ｃ】
0006511536.tif 000004
【図２】
0006511536.tif 000005
【図３】
0006511536.tif 000006
【図４】
0006511536.tif 000007
【図５】
0006511536.tif 000008
【図６】
0006511536.tif 000009
【図７】
0006511536.tif 000010
【図８】
0006511536.tif 000011
【図９】
0006511536.tif 000012
【図１０】
0006511536.tif 000013
【図１１】
0006511536.tif 000014
【図１２】
0006511536.tif 000015
【図１３】
0006511536.tif 000016
【図１４】
0006511536.tif 000017
【図１５】
0006511536.tif 000018
【図１６】
0006511536.tif 000019
【図１７】
0006511536.tif 000020
【図１８】
0006511536.tif 000021
【図１９】
0006511536.tif 000022
【図２０】
0006511536.tif 000023
【図２１】
0006511536.tif 000024
【図２２】
0006511536.tif 000025
【図２３Ａ】
0006511536.tif 000026
【図２３Ｂ】
0006511536.tif 000027
【図２３Ｃ】
0006511536.tif 000028
【図２４】
0006511536.tif 000029
【図２５Ａ】
0006511536.tif 000030
【図２５Ｂ】
0006511536.tif 000031
【図２５Ｃ】
0006511536.tif 000032
【図２６】
0006511536.tif 000033